(57)【特許請求の範囲】
【請求項１】
カメラの複数のモードを表示する表示手段であって、前記複数のモードを種類ごとに複数のグループに区分し、各グループごとに選択されたモードを同時に表示する表示手段と、
前記複数のグループから任意のグループを選択し、この選択したグループに属する複数のモードから任意のモードを選択する操作部材と、
前記操作部材による或るグループに属するモードの選択に際して他のグループで選択されたモードに応じて選択可能なモードを制限し、又は前記操作部材によって或るグループに属するモードが選択されると、その選択されたモードに応じて他のグループで選択されたモードを自動的に変更する制限手段と、
を備え、
前記複数のグループは、ストロボに関連するモードの第１のグループと、フォーカスに関連するモードの第２のグループとを含み、
前記制限手段は、前記第１のグループに属するモードの選択に際して、前記第２のグループで選択されたモードに応じて選択可能なモードを制限し、前記操作部材によって前記第２のグループに属するモードが選択されると、その選択されたモードに応じて前記第１のグループで選択されたモードを自動的に変更し、
前記表示手段は、前記操作部材によって選択されているグループに属する選択可能なモードを全て表示し、前記操作部材によって選択されていない他のグループに属する複数のモードは、各グループごとに選択又は自動的に変更されたモードのみを表示することを特徴とするカメラ。
【請求項２】
前記制限手段は、前記操作部材によって或るグループに属するモードが選択されると、その選択されたモードに応じて他のグループで選択されたモードを自動的に変更し、その後、前記操作部材によって或るグループに属するモードが更に選択されると、他のグループで自動的に変更されたモードを初めに選択されたモードに戻すことを特徴とする請求項１のカメラ。
【請求項３】
前記第１のグループは、低輝度自動発光モード、赤目軽減モード、ストロボ常時発光モード、ストロボ発光禁止モード、及び夜景ポートレートモードのうちの少なくとも２つ以上のモードを有し、前記第２のグループは、オートフォーカスモード、遠距離フォーカス固定モード、及びマクロフォーカスモードのうちの少なくとも２つ以上のモードを有することを特徴とする請求項１のカメラ。
【請求項４】
前記第１のグループは、低輝度自動発光モード、赤目軽減モード、ストロボ常時発光モード、ストロボ発光禁止モード、及び夜景ポートレートモードを有し、前記第２のグループは、オートフォーカスモード、遠距離フォーカス固定モード、及びマクロフォーカスモードを有し、
前記制限手段は、前記第１のグループに属するモードの選択に際して、前記第２のグループで選択されたモードが遠距離フォーカス固定モードの場合には、ストロボ発光禁止モードを選択可能なモードとし、前記第２のグループで選択されたモードがマクロフォーカスモードの場合には、低輝度自動発光モード、ストロボ常時発光モード、及びストロボ発光禁止モードを選択可能なモードとし、前記第２のグループで選択されたモードがオートフォーカスモードの場合には、低輝度自動発光モード、赤目軽減モード、ストロボ常時発光モード、ストロボ発光禁止モード、及び夜景ポートレートモードを選択可能なモードとすることを特徴とする請求項１のカメラ。
【発明の詳細な説明】
【０００１】
【発明の属する技術分野】
本発明はカメラに係り、特にカメラのモードを表示する液晶表示パネルなどの表示手段を有するカメラに関する。
【０００２】
【従来の技術】
従来のカメラは、モードが属するグループごとにモード選択スイッチが割り付けられており、カメラのモードを選択する場合には、モード選択スイッチをワンプッシュするごとにそのグループ内でモードがサイクリックに変化し、現在選択されているモードを示すアイコンや文字等を表示器に表示するようにしている。
【０００３】
例えば、ストロボに関連するモードのグループに割り付けられたモード選択スイッチをワンプッシュすると、ワンプッシュするごとに低輝度自動発光モード、赤目軽減モード、ストロボ常時発光モード、ストロボ発光禁止モード、夜景ポートレートモード、低輝度自動発光モード、…にサイクリックに切り替わるようにしている。また、フォーカスに関連するモードのグループに割り付けられたモード選択スイッチをワンプッシュすると、オートフォーカスモード、遠距離フォーカス固定モード、マクロフォーカスモード、…にサイクリックに切り替わるようにしている。
【０００４】
また、例えば、遠距離フォーカス固定モードが選択されると、ストロボに関連するモードのグループでは、ストロボ発光が可能なモードの選択ができないように制限をするカメラがある（特開平１０−１４２６５１号公報参照）。
【０００５】
【発明が解決しようとする課題】
しかしながら、モードの組み合わせの制限が可能な従来のカメラは、表示が簡略化されているために、どのようなモードで撮影が行われるか分からない場合があった。例えば、遠距離フォーカス固定モードが選択されると、ストロボ発光が可能なモードの表示が消えて表示されなくなり、又はストロボに関連するモードとフォーカスに関連するモードとが組み組み合わされているため、個別にモードが表示されず、どのようなモードで撮影が行われるか分からない場合があった。
【０００６】
本発明はこのような事情に鑑みてなされたもので、どのような組み合わせのモードで撮影がなされるかを明確に表示することができ、また、モードの選択に制限を受けている状態や他のグループで選択されたモードが自動変更されたことを表示することができるカメラを提供することを目的とする。
【０００７】
【課題を解決するための手段】
前記目的を達成するために、本願請求項１に係るカメラは、カメラの複数のモードを表示する表示手段であって、前記複数のモードを種類ごとに複数のグループに区分し、各グループごとに選択されたモードを同時に表示する表示手段と、前記複数のグループから任意のグループを選択し、この選択したグループに属する複数のモードから任意のモードを選択する操作部材と、前記操作部材による或るグループに属するモードの選択に際して他のグループで選択されたモードに応じて選択可能なモードを制限し、又は前記操作部材によって或るグループに属するモードが選択されると、その選択されたモードに応じて他のグループで選択されたモードを自動的に変更する制限手段と、を備え、前記複数のグループは、ストロボに関連するモードの第１のグループと、フォーカスに関連するモードの第２のグループとを含み、前記制限手段は、前記第１のグループに属するモードの選択に際して、前記第２のグループで選択されたモードに応じて選択可能なモードを制限し、前記操作部材によって前記第２のグループに属するモードが選択されると、その選択されたモードに応じて前記第１のグループで選択されたモードを自動的に変更し、前記表示手段は、前記操作部材によって選択されているグループに属する選択可能なモードを全て表示し、前記操作部材によって選択されていない他のグループに属する複数のモードは、各グループごとに選択又は自動的に変更されたモードのみを表示することを特徴としている。
【０００８】
即ち、前記表示手段は、各グループごとに選択されたモードを同時に表示するため、或るグループに属するモードの選択に際して、他のグループで選択されたモードが自動的に変更された場合にその変更されたモードが容易に分かる。
【０００９】
また、或るグループに属するモードの選択に際して、そのグループに属する選択可能なモードが全て表示されるため、他のグループの選択によって制限されている状態を容易に把握することができるとともに、他のグループでのモードの選択又は自動的に変更されたモードの状態も容易に把握することができる。
【００１０】
本願請求項２に示すように前記制限手段は、前記操作部材によって或るグループに属するモードが選択されると、その選択されたモードに応じて他のグループで選択されたモードを自動的に変更し、その後、前記操作部材によって或るグループに属するモードが更に選択されると、他のグループで自動的に変更されたモードを初めに選択されたモードに戻すことを特徴としている。
【００１１】
これにより、各グループごとにモードを最初から選択する手間を省くことができる。
【００１３】
請求項３に示すように前記第１のグループは、低輝度自動発光モード、赤目軽減モード、ストロボ常時発光モード、ストロボ発光禁止モード、及び夜景ポートレートモードのうちの少なくとも２つ以上のモードを有し、前記第２のグループは、オートフォーカスモード、遠距離フォーカス固定モード、及びマクロフォーカスモードのうちの少なくとも２つ以上のモードを有することを特徴としている。
【００１４】
【発明の実施の形態】
以下添付図面に従って、本発明に係るカメラの好ましい実施の形態について詳説する。
【００１５】
図１〜図５は、１３５フイルムが装填されるカメラの外観図で、図１は正面図、図２は平面図、図３は背面図、図４は左側面図、図５は右側面図である。
【００１６】
図１に示すカメラのケース１０の前面１１にはズームレンズ鏡胴１２、略三ヶ月形の凸状部からなる指掛かり部（グリップ部）１４、ストロボ窓１６、ファインダ１８、セルフ表示窓２０、パッシブタイプのＡＦ窓２２、リモコン用受光窓２４、測光窓２５等が設けられている。ズームレンズ鏡胴１２の前面には、レンズバリア２６、レンズバリア２６の外側にはリング状の飾り板２８が設けられている。
【００１７】
図２に示すカメラのケース１０の上面３０には、後方コーナ部にメインスイッチ３２が設けられ、シャッタボタン３４が図２上で左側平坦部に設けられている。更に図３に示すカメラのケース１０の背面３６には、ＬＣＤ表示窓３８、十字キータイプの選択ボタン４０、メニュー／決定ボタン４２が設けられている。ＬＣＤ表示窓３８の左側３９には「フラッシュ」、「セルフタイマー」、「フォーカス」、「日付」等の文字が印刷されており、選択ボタン４０でフラッシュ等の機能を選択し、選択後メニュー／決定ボタン４２を押すことによりその機能の選択を実行することができる。更にケース１０の背面右側には、電池蓋４４が設けられ、電池蓋４４の内側には図示しない電池室が形成される。カメラのケース１０の側面には、図４に示す電池蓋開閉ツマミ４５が上下方向スライド可能に設けられ、電池蓋開閉ツマミ４５を下方に押し下げることによって電池蓋４４を開放することができる。
【００１８】
図３に於いて電池蓋（電池室）４４の左側には、図示しないフイルム収納室が形成され、対応する位置に透明なフイルムパトローネ確認窓４６が形成され、外部からフイルム感度等が確認できるようになっている。カメラのケース１０の背面上部には、シーソ式のズームボタン４８、ＡＦ表示窓５０等が形成されている。ＡＦ表示窓５０は、シャッタボタン３４の半押し状態での測距が完了すると緑色に点灯し、被写体に近づき過ぎる等の測距不能の距離の場合には、点滅する。図５に示すように、ケース１０の右側面に、裏蓋開閉ツマミ５２が上下方向スライド自在に設けられ、上方にスライドさせて裏蓋５１を開放し、フイルムの装填、取り出しを行うことができる。
【００１９】
図６は、カメラの制御部の構成を示したブロック図である。同図に示すように、カメラには、ＣＰＵ６０が内蔵されており、このＣＰＵ６０からの指示によって以下で示す各部の制御が実行され、カメラ全体が統括制御される。
【００２０】
同図において、昇圧レギュレータ６２は、バッテリの電圧を昇圧させるとともに安定化させ、ＣＰＵ６０及びその他の各回路に電源を供給する。鏡胴部６４は、ズームレンズ鏡胴１２の繰出し位置を制御し、ズーム倍率の変更等を行う。給送部６６は、フイルムの給送、巻戻しの制御を行う。シャッタ部６８は、撮影時のシャッタ開閉動作を制御する。測光回路７０は、測光窓２５（図１参照）から取り込まれた外光により被写体の光量を測光する。ストロボ回路７２は、コンデンサーの充電制御及び上記測光回路７０によって検出された外光輝度等に基づいてストロボ（フラッシュ）の発光を制御する。ＡＦ部７４は、ＡＦ窓２２（図１参照）から取り込んだ外光に基づいてパッシブ方式による測距を行い、ピント合わせの制御を行う。リモコン受信回路７６は、撮影者自身が被撮影者となる場合等に用いられるリモコン装置  （不図示）からの信号を受信してＣＰＵ６０にその信号を与える。ＬＥＤ７８は、セルフ表示窓２０（図１参照）において点灯するＬＥＤやＡＦ表示窓５０（図３参照）において点灯するＬＥＤを示し、ＣＰＵ６０によりこれらのＬＥＤの点灯、消灯、点滅等が制御される。ＤＡＴＥ写し込み部８０は、フイルムに撮影の年月日、時刻等を映し込む制御を行う。電気的消去可能プログラマブルＲＯＭ  （ＥＥＰＲＯＭ）８２には、カメラの制御に関する各種のパラメータ、データが格納される。
【００２１】
ＬＣＤパネル８４は、カメラの背面のＬＣＤ表示窓３８（図３参照）からその表示が見えるように配置され、各種図形、文字、数字等が表示される。バックライト用ＬＥＤ８６、バックライト用ＬＥＤ８８は、ＬＣＤパネル８４のバックライト用の照明光源であり、バックライト用ＬＥＤ８６は、ＬＣＤパネル８４を緑色に照明し、バックライト用ＬＥＤ８８は、ＬＣＤパネル８４を橙色に照明する。尚、ＬＣＤパネル８４の表示及びバックライトの色の切替えについては後述する。また、以下の説明において、ＬＣＤＬＥＤ１（又はＬＥＤ１）という場合には、緑色のバックライト用ＬＥＤ８６を示し、ＬＣＤＬＥＤ２（又はＬＥＤ２）という場合には、橙色のバックライト用ＬＥＤ８８を示すものとする。
【００２２】
また、ＣＰＵ６０には、カメラの各部に設けられたスイッチのオン／オフ状態が入力され、それらのスイッチのオン／オフ状態により上記各部の制御、後述する撮影モードの設定等が行われる。同図において、スイッチ／ＳＭは、カメラのメインスイッチ３２（図２参照）が押された状態でオンとなり、押されていない状態でオフとなる。スイッチ／ＳＢは、フイルム着脱のためのカメラの裏蓋５１（図３参照）が開かれた状態でオンとなり、裏蓋５１が閉じられた状態でオフとなる。スイッチ／ＳＰ１は、シャッタボタン３４（図２参照）が半押し、又は全押しされている状態でオンとなり、半押し及び全押しされていない状態でオフとなる。スイッチ／ＳＰ２は、シャッタボタン３４が全押しされた状態でオンとなり、全押しされていない状態でオフとなる。スイッチ／ＳＴＥＬＥは、ズームボタン４８（図３参照）のテレ側が押されている状態でオンとなり、テレ側が押されていない状態でオフとなる。スイッチ／ＳＷＩＤＥは、ズームボタン４８のワイド側が押されている状態でオンとなり、ワイド側が押されていない状態でオフとなる。
【００２３】
スイッチ／ＳＭＥＮＵは、メニュー／決定ボタン４２（図３参照）が押されている状態でオンとなり、押されていない状態でオフとなる。スイッチ／ＳＵＰは、選択ボタン４０（図３参照）の上側が押されている状態でオンとなり、上側が押されていない状態でオフとなる。スイッチ／ＳＤＯＷＮは、選択ボタン４０の下側が押されている状態でオンとなり、下側が押されていない状態でオフとなる。スイッチ／ＳＲＩＧＨＴは、選択ボタン４０の右側が押されている状態でオンとなり、右側が押されていない状態でオフとなる。スイッチ／ＳＬＥＦＴは、選択ボタン４０の左側が押されている状態でオンとなり、左側が押されていない状態でオフとなる。
【００２４】
詳細を後述する撮影モードの設定、変更は、上記ＬＣＤパネル８４の表示を参照しながら、主に選択ボタン４０、メニュー／決定ボタン４２の操作によって行うことでき、ＣＰＵ６０は、ＬＣＤパネル８４の表示を制御すると共に、それらの操作部材によってオン／オフされる上記スイッチ／ＳＭＥＮＵ、スイッチ／ＳＵＰ、スイッチ／ＳＤＯＷＮ、スイッチ／ＳＲＩＧＨＴ、スイッチ／ＳＬＥＦＴのオン／オフ状態に基づいてカメラのモードを設定、変更する。そして、これによって設定したモードに基いて各部の動作を制御する。
【００２５】
また、ＣＰＵ６０は、モードが確定しているモード（通常モード）か、モードの選択が可能なモード（セレクトモード）かをユーザが容易に把握できるように、緑色のバックライト用ＬＥＤ８６（ＬＣＤＬＥＤ１）と橙色のバックライト用ＬＥＤ８８（ＬＣＤＬＥＤ２）の点灯、消灯を制御し、ＬＣＤパネル８４のバックライトの色を緑色と橙色とで切り替える。
【００２６】
次に、上記ＣＰＵ６０におけるモードの設定、変更の処理について詳説する。
上述のようにフラッシュ、セルフタイマー、フォーカス、日付（日付プリント）等に関するモードの設定は、カメラの背面側に配設されたＬＣＤパネル８４の表示を見ながら、選択ボタン４０、メニュー／決定ボタン４２等を操作して行うことができるようになっている。
【００２７】
図７は、上記ＬＣＤパネル８４において各種図形、文字、数字を表示するセグメントの割付を示した図である。同図に示すようにカメラのケース１０の背面  （図３参照）において、ＬＣＤパネル８４の左側には、各種モードを種類ごとに複数のグループに区分した場合の各グループ項目名として、「フラッシュ」、  「セルフタイマー」、「フォーカス」、「日付」の文字が印刷されている。これらの各グループ項目に対応して各文字の右側に位置するＬＣＤパネル８４上の各段（各行）に、各グループ項目において選択可能な撮影モード（以下、単にモードという）を表示するセグメント（ＬＣＤセグメント）が割り付けられている。各グループごとにＬＣＤセグメントの種類を説明すると、「フラッシュ」に関しては、ＬＣＤパネル８４（１段目）の左側から順に、「低輝度自動発光」（AUTO）モードを表示するAUTOセグメントＡ１、「赤目軽減」（PRE ）モードを表示するPRE セグメントＡ２、「ストロボ常時発光」（ON）モードを表示するONセグメントＡ３、「ストロボ発光禁止」（F-OFF ）モードを表示するF-OFF セグメントＡ４、「夜景ポートレート（スローシンクロ）」（NVP ）モードを表示するNVP セグメントＡ５が割り付けられる。尚、以下において、「フラッシュ」のグループに属するモードをFLASH モードという。
【００２８】
「セルフタイマー」に関しては、ＬＣＤパネル８４（２段目）の左側から順に、「オフ」（S-OFF ）モードを表示するS-OFF セグメントＢ１、「オン」（SELF）モードを表示すると共に、セルフ撮影する撮影枚数１〜３を表示するSELFセグメントＢ２、「リモコン」（REMOCON ）モードを表示するREMOCON セグメントＢ３が割り付けられる。尚、SELFモードにおいて連続撮影枚数を１枚とするときにはSELF1 モード、２枚とするときにはSELF2 モード、３枚とするときにはSELF3 モードという。また、以下において、「セルフタイマー」のグループに属するモードをSELFモードという。
【００２９】
「フォーカス」に関しては、ＬＣＤパネル８４（３段目）の左側から順に、  「オートフォーカス」（AF）モードを表示するAFセグメントＣ１、「遠距離フォーカス固定」（INF ）モードを表示するINF セグメントＣ２、「マクロフォーカス」（MACRO ）モードを表示するMACRO セグメントＣ３が割り付けられる。尚、以下において、「フォーカス」のグループに属するモードをFOCUS モードという。
【００３０】
「日付」に関しては、ＬＣＤパネル８４（４段目）の左側において、「オフ」（D-OFF ）モード、「年月日プリント」モード、「月日年プリント」モード、「日月年プリント」モード、「日時分プリント」モードを切り替えて表示する英数字セグメントＤ１が割り付けられる。D-OFF モードのときは、英数字セグメントＤ１によって「ＯＦＦ」の文字が表示され、それ以外のモードの時には、実際にプリントされる「年」、「月」、「日」、又は「日」、「時」、「分」の配列で日付が表示される。尚、以下において、「日付」のグループに属するモードをDATEモードという。
【００３１】
以上のＬＣＤセグメントの他に、ＬＣＤパネル８４において、英数字セグメントＤ１の下側にはバッテリ残量を表示するバッテリ表示セグメントＥ１が割り付けられ、英数字セグメントＤ１の右側には撮影可能な残り枚数を表示する数字セグメントＦ１が割り付けられている。
【００３２】
モードの設定、変更を行う場合、通常モードにおいてメニュー／決定ボタン４２を押し、セレクトモードに移行する必要がある。ＣＰＵ６０は、メニュー／決定ボタン４２によってオン／オフされるスイッチ／ＳＭＥＮＵがオンされたことを検出すると、セレクトモードの処理に移行する。尚、カメラの電源投入時には、FLASH モード、FOCUS モードは、いずれもオートモード（AUTOモード、AFモード）に確定して立ち上がるようになっている。
【００３３】
セレクトモードは図８に示すように、FLASH （フラッシュ）セレクトモード、SELF（セルフ）セレクトモード、FOCUS （フォーカス）セレクトモード、DATE（日付）セレクトモードの４種類に分類される。FLASH セレクトモードでは、FLASH モードについて所望のモードを選択することができる。上述したようにFLASH モードとして選択可能なモードには、AUTOモード、PRE モード、ONモード、F-OFF モード、NVP モードがある。
【００３４】
SELFセレクトモードでは、SELFモードについて所望のモードを選択することができる。SELFモードとして選択可能なモードには、S-OFF モード、SELF1 モード、SELF2 モード、SELF3 モード、REMOCON モードがある。
【００３５】
FOCUS セレクトモードでは、FOCUS モードについて所望のモードを選択することができる。FOCUS モードとして選択可能なモードには、AFモード、INF モード、MACRO モードがある。
【００３６】
DATEセレクトモードでは、DATEモードについて所望のモードを選択することができる。DATEモードとして選択可能なモードには、D-OFF モード、年月日プリントモード、月日年プリントモード、日月年プリントモード、日時分プリントモードがある。
【００３７】
これらのセレクトモードにおいて、ＤＡＴＥセレクトモード以外はセレクトモード中のグループに属するモードのうちで現在設定されているモード、又はスイッチ操作で切り替えた場合には、それによって新たに選択されたモード（次ぎに設定しようとするモード）のＬＣＤセグメントが点滅する。セレクトモード中のグループに属するその他のモードのＬＣＤセグメントは点灯する。
【００３８】
また、セレクトモード中は、スイッチ／ＳＵＰ及びスイッチ／ＳＤＯＷＮの操作（選択ボタン４０の上下の操作）により、セレクトモードが、FLASH セレクトモード、SELFセレクトモード、FOCUS セレクトモード、及び、DATEセレクトモードの間で切り替わる。一方、スイッチ／ＳＲＩＧＨＴ、スイッチ／ＳＬＥＦＴの操作により、セレクトモード中のグループに属するモード間で、選択されるモードが切り替わる。スイッチ／ＳＭＥＮＵをオンすると、セレクトモードが終了し、モードが上記スイッチ操作で選択されたモードに確定する。同時に、セレクトモード中に点灯していたＬＣＤＬＥＤ２（橙色のバックライト用ＬＥＤ８８）が消灯する一方、セレクトモード中に消灯していたＬＣＤＬＥＤ１（緑色のバックライト用ＬＥＤ８６）が点灯し、ＬＣＤパネル８４のバックライトが緑色から橙色に切り替わる。尚、条件によってはスイッチ／ＳＭＥＮＵのオンによってモードラッチ、DATE修正モードに移行する。
【００３９】
また、セレクトモード中において、スイッチ／ＳＭＥＮＵ、スイッチ／ＳＵＰ、スイッチ／ＳＤＯＷＮ、スイッチ／ＳＲＩＧＨＴ、スイッチ／ＳＬＥＦＴ以外のスイッチ（スイッチ／ＳＭ、スイッチ／ＳＢ、スイッチ／ＳＰ１、スイッチ／ＳＴＥＬＥ、スイッチ／ＳＷＩＤＥ等）の操作があった場合には、セレクトモードが終了し、モードが確定する。このとき同時に、ＬＣＤＬＥＤ１、２が消灯し、ＬＣＤパネル８４のバックライトが消える。
【００４０】
また、セレクトモード中又は通常モード中において、ＬＣＤＬＥＤ１又はＬＣＤＬＥＤ２が点灯している場合、スイッチ無操作の時間がＥ＿Ｔ＿ＬＣＤＬＥＤＯＦＦタイマーの計測時間（例えば、１０秒）だけ経過すると、その点灯は消灯に切り替わり、ＬＣＤパネル８４のバックライトが消える。
【００４１】
尚、セレクトモード中において、スイッチ無操作が所定時間継続した場合には、強制的にモード確定としてもよいし、また、セレクトモード中は、リモコン入力／ＳＲＣＩＮを受け付けなくしてもよい。
【００４２】
図９は、ＣＰＵ６０のメインルーチンの処理を示したフローチャートである。
バッテリが交換される等によってＣＰＵ６０がパワーオンリセットされると、同図に示すように、ＣＰＵ６０はまず、初期設定の処理、即ち、ＣＰＵ起動直後のカメラ初期設定処理を実行した後（ステップＳ８）、時計処理、即ち、時計カウント及び表示処理を実行する（ステップＳ１０）。続いて、各スイッチの状態がオンか否かを順次判定する。即ち、メインスイッチ３２（図２参照）によりオン／オフされるスイッチ／ＳＭがオンか否か（ステップＳ１２）、カメラの裏蓋５１（図３参照）の開閉によりオン／オフされるスイッチ／ＳＢがオンか否か（開か閉か）（ステップＳ１４）、シャッタボタン３４（図２参照）の半押しによりオン／オフされるスイッチ／ＳＰ１がオンか否か（ステップＳ１６）、リモコン操作によりオン／オフされるリモコン入力／ＳＲＣＩＮがオンか否か（ステップＳ１８）、ズームボタン４８（図３参照）の操作によりオン／オフされるスイッチ／ＳＴＥＬＥがオンか否か（ステップＳ２０）、同じくズームボタン４８（図３参照）の操作によりオン／オフされるスイッチ／ＳＷＩＤＥがオンか否か（ステップＳ２２）、メニュー／決定ボタン４２（図３参照）の操作によりオン／オフされるスイッチ／ＭＥＮＵがオンか否か（ステップＳ２４）、選択ボタン４０（図３参照）の操作によりオン／オフされるスイッチ／ＳＵＰがオンか否か（ステップＳ２６）、同じく選択ボタン４０（図３参照）の操作によりオン／オフされるスイッチ／ＳＤＯＷＮがオンか否か（ステップＳ２８）、同じく選択ボタン４０（図３参照）の操作によりオン／オフされるスイッチ／ＳＲＩＧＨＴがオンか否か（ステップＳ３０）、同じく選択ボタン４０（図３参照）の操作によりオン／オフされるスイッチ／ＳＬＥＦＴがオンか否か（ステップＳ３２）について判定する。
【００４３】
以上の判定に基づき所要の処理が終了すると、次いで、ストロボ充電の処理を行った後（ステップＳ３４）、タイマー割り込み起動をセットすると共に（ステップＳ３６）、スイッチ割り込み起動をセットする（ステップＳ３８）。そして、スタンバイ処理により、ＣＰＵ６０は、スイッチ又はタイマー割り込み起動の待機状態に入る。設定したタイマー時間経過又はスイッチ操作が行われるとスタンバイ処理の待機状態から抜け出して次のステップ（Ｓ４２）に移行する。Ｅ＿Ｔ＿ＬＣＤＬＥＤＯＦＦタイマーによる規定の計測時間（１０秒）が経過したか否かを判定し（ステップＳ４２）、ＹＥＳであれば、後述する処理により点灯するＬＣＤＬＥＤ１（緑色のバックライト用ＬＥＤ８６）、及び、ＬＣＤＬＥＤ２（橙色のバックライト用ＬＥＤ８８）を消灯させる（ステップＳ４４）。尚、Ｅ＿Ｔ＿ＬＣＤＬＥＤＯＦＦタイマーは、上述のようにスイッチ無操作の時間を計測するタイマーである。
【００４４】
ＣＰＵ６０は、以上のステップＳ１２からステップＳ４４までの処理を繰り返し実行する。ここで、ステップＳ１０の時計処理について図１０のフローチャートを用いて簡単に説明する。ＣＰＵ６０は、ステップＳ４０のスタンバイ処理からの２５０ｍＳの起動により、秒データのカウントアップを行い、まず、後述するDATE修正モードか否かを判定する（ステップＳ９０）。ＹＥＳであれば、この時計処理を終了する。一方、ＮＯであれば、次に、秒データが６０秒以上であったか否かを判定する（ステップＳ９２）。ＮＯであれば、この時計処理を終了する。ＹＥＳであれば、次に、秒データから６０秒を引き、その値を新たな秒データに修正すると共に（ステップＳ９４）、時計カウントアップ処理により、分、時、日、月、年の順にデータセットを行う（ステップＳ９６）。そして、このようにセットしたデータに基づき、ＬＣＤパネル８４の英数字セグメントＤ１に日付表示を行う（ステップＳ９８）。
【００４５】
次に、図９のメインルーチンにおいて、ステップＳ１２からステップＳ３２までのスイッチの状態判定において各スイッチのオン状態が検出された場合の処理について説明する。
【００４６】
ステップＳ１２において、スイッチ／ＳＭがオン状態と判定した場合、ＣＰＵ６０は、既にメイン電源がオンされているか否かを判定する（ステップＳ５０）。ＮＯと判定した場合には、緑色のＬＣＤＬＥＤ１を点灯させ（ステップＳ５２）、ＬＣＤパネル８４を緑色で照明すると共に、メインオン時の所要の処理を実行する（ステップＳ５４）。尚、本実施の形態では、ステップＳ５２のように、ＬＣＤＬＥＤ１又はＬＣＤＬＥＤ２のいずれか一方が点灯した場合には他方は消灯の状態である。また、ＣＰＵ６０の処理として、ＬＣＤＬＥＤ１又はＬＣＤＬＥＤ２をオンにした場合に、それまでＬＣＤＬＥＤ１又はＬＣＤＬＥＤ２がオフであったことを意味するものではなく、既にオンとなっている場合もあり得る。
ＬＣＤＬＥＤ１又はＬＣＤＬＥＤ２をオフにする処理を行う場合も同様である  （以下同じ）。
【００４７】
一方、ステップＳ５０において、ＹＥＳと判定した場合には、ＬＣＤＬＥＤ１とＬＣＤＬＥＤ２の両方を消灯させ（ステップＳ５６）、メイン電源をオフするための所要の処理を実行する（ステップＳ５８）。
【００４８】
ステップＳ１４において、スイッチ／ＳＢがオン状態と判定した場合、ＣＰＵ６０は、ＬＣＤＬＥＤ１及びＬＣＤＬＥＤ２の両方を消灯させ（ステップＳ６０）、裏蓋開閉処理を実行する（ステップＳ６２）。
【００４９】
ステップＳ１６において、スイッチ／ＳＰ１がオン状態と判定した場合、ＣＰＵ６０は、ＬＣＤＬＥＤ１及びＬＣＤＬＥＤ２の両方を消灯させ（ステップＳ６４）、シャッタレリーズの処理を実行する（ステップＳ６６）。
【００５０】
ステップＳ１８において、リモコン入力／ＳＲＣＩＮがオン状態と判定した場合、ＣＰＵ６０は、ＬＣＤＬＥＤ１及びＬＣＤＬＥＤ２の両方を消灯させ（ステップＳ６８）、リモコン処理を実行する（ステップＳ７０）。
【００５１】
ステップＳ２０において、スイッチ／ＳＴＥＬＥがオン状態と判定した場合、ＣＰＵ６０は、ＬＣＤＬＥＤ１及びＬＣＤＬＥＤ２の両方を消灯させ（ステップＳ７２）、テレ方向へのズーム処理を実行する（ステップＳ７４）。
【００５２】
ステップＳ２２において、スイッチ／ＳＷＩＤＥがオン状態と判定した場合、ＣＰＵ６０は、ＬＣＤＬＥＤ１及びＬＣＤＬＥＤ２の両方を消灯させ（ステップＳ７６）、ワイド方向へのズーム処理を実行する（ステップＳ７８）。
【００５３】
ステップＳ２４〜ステップＳ３２において、スイッチ／ＳＭＥＮＵ、スイッチ／ＳＵＰ、スイッチ／ＳＤＯＷＮ、スイッチ／ＳＲＩＧＨＴ、スイッチ／ＳＬＥＦＴのいずれかがオン状態と判定した場合には、ＣＰＵ６０は、それぞれに対応した／ＳＭＥＮＵスイッチ処理（ステップＳ８０）、／ＳＵＰスイッチ処理（ステップＳ８２）、／ＳＤＯＷＮスイッチ処理（ステップＳ８４）、／ＳＲＩＧＨＴスイッチ処理（ステップＳ８６）、／ＳＬＥＦＴスイッチ処理（ステップＳ８８）を実行するが、これらの処理については、フローチャートを用いて順に詳説する。
【００５４】
図１１は、上記図９のメインルーチンにおけるステップＳ８０の／ＳＭＥＮＵスイッチ処理の処理手順を示したフローチャートである。この処理において、ＣＰＵ６０は、まず、DATE修正モードか否かを判定する（ステップＳ１００）。DATE修正モードは、日付（年、月、日、時、分）を設定、修正するモードであり、DATE修正モードへの移行については本フローチャート中の後述の説明で明示する。もし、DATE修正モードであると判定した場合には、DATE修正モードで修正された日付を確定するためのDATE確定処理を実行する（ステップＳ１０２）。そして、DATE修正モードにおいて点灯する橙色のＬＣＤＬＥＤ２を消灯させると共に  （ステップＳ１０４）、緑色のＬＣＤＬＥＤ１を点灯させる（ステップＳ１０６）。尚、DATE確定処理の内容についても後述する。
【００５５】
この処理が終了すると、ＣＰＵ６０は、スイッチ／ＳＭＥＮＵがオンか否かを判定しながら（ステップＳ１９４）、ＹＥＳと判定している間、上記図１０で説明した時計処理を実行し（ステップＳ１９２）、スイッチ／ＳＭＥＮＵがオフとなるのを待機する。そして、スイッチ／ＳＭＥＮＵがオフになると、この／ＳＭＥＮＵスイッチ処理に移行するためのスイッチ／ＳＭＥＮＵの操作があったことからスイッチ無操作の時間を計測するＥ＿Ｔ＿ＬＣＤＬＥＤＯＦＦタイマーを再スタートさせ（ステップＳ２００）、図９のメインルーチンに戻る。
【００５６】
上記ステップＳ１００においてＮＯと判定した場合、次にＣＰＵ６０は、セレクトモードか否かを判定する（ステップＳ１０８）。ＮＯと判定した場合、即ち、通常モードの場合には、緑色のＬＣＤＬＥＤ１を消灯させ（ステップＳ１１０）、橙色のＬＣＤＬＥＤ２を点灯させる（ステップＳ１１２）。これによってＬＣＤパネル８４を橙色で照明し、セレクトモードに移行したことをユーザに知らせる。そして、ＣＰＵ６０は、FLASH セレクトモード処理を実行する（ステップＳ１１４）。尚、セレクトモードに移行した際の初期のセレクトモードはFLASH セレクトモードである。
【００５７】
ここで、FLASH セレクトモード処理として、ＣＰＵ６０は、FLASH セレクトモードに移行することによって選択可能となったFLASH モード（AUTOモード、PRE モード、ONモード、F-OFF モード、NVP モード）のうち、現在選択されているモードのＬＣＤパネル８４のＬＣＤセグメントを点滅させ、その他のFLASH モードのＬＣＤセグメントを点灯させる。尚、特別な場合として、FLASH モードのうちINF モードが選択されている場合には、F-OFF モードのみの選択を可能とし、F-OFF セグメントＡ４のみを点滅させ、他のFLASH モードのＬＣＤセグメントは点灯させない。また、FOCUS モードのうちMACRO モードが選択されている場合には、AUTOモード、ONモード、F-OFF モードのみの選択を可能とし、他のFLASH モードのＬＣＤセグメントは点灯させない。
【００５８】
次いで、ＣＰＵ６０は、現在選択されているモードがラッチ対象モードか否かを判定する（ステップＳ１１６）。ラッチ対象モードとは、モードラッチ機能の対象となるモードをいう。モードラッチ機能は、通常の場合（ラッチされていない場合）において、シャッタレリーズが１回行われると、予め決められたモードにリセットされるモード（ラッチ対象モード）を、リセットされないようにする機能である。FLASH セレクトモードにより選択可能となったFLASH モードのうち、NVP モードはラッチ対象モードであり、NVP モードに設定してシャッタレリーズを行うと、ラッチされていない場合にはAUTOモードにリセットされる。尚、他のグループに属するラッチ対象モードとしては、FOCUS モードのうち、INF モード、及び、MACRO モードがあり、これらのモードは、ラッチされていない場合にシャッタレリーズを行うと、いずれもAFモードにリセットされる。
【００５９】
ステップＳ１１６において、現在選択されているモードがラッチ対象モード、即ち、NVP モードであると判定した場合、次いでＣＰＵ６０は、２秒タイマーをスタートさせる（ステップＳ１１８）。そして、スイッチ／ＳＭＥＮＵがオンか否かを判定しながら（ステップＳ１２４）、その判定がＹＥＳの間、時計処理を行うと共に（ステップＳ１２２）、２秒タイマーがオーバータイムとなったか否かを判定する（ステップＳ１２０）。もし、２秒タイマーがオーバータイムとなる前にスイッチ／ＳＭＥＮＵがオフとなった場合には、ステップＳ１２４においてＮＯと判定することになる。この場合、ＣＰＵ６０は、Ｅ＿Ｔ＿ＬＣＤＬＥＤＯＦＦタイマーを再スタートさせて（ステップＳ１２６）、図９のメインルーチンの処理に戻る。
【００６０】
一方、２秒タイマーがオーバータイムとなった場合には、ステップＳ１２０においてＹＥＳと判定されることになる。この場合、ＣＰＵ６０は、モード確定処理を実行し（ステップＳ１２８）、橙色のＬＣＤＬＥＤ２を消灯させると共に  （ステップＳ１３０）、緑色のＬＣＤＬＥＤ１を点灯させる（ステップＳ１３２）。そして、モードラッチ処理を実行した後（ステップＳ１３４）、ステップＳ１９２に移行する。ステップＳ１９２以降においてスイッチ／ＳＭＥＮＵがオフになるのを待機する処理は、上述した通りである。
【００６１】
ここで、上記ステップＳ１２８におけるモード確定処理として、ＣＰＵ６０は、現在選択されているモード（全グループに関して現在選択されているモード）を確定とし、その確定したモードのＬＣＤセグメントを点灯させ、他のモードのＬＣＤセグメントを消灯させる。ただし、モードラッチ処理によってラッチ確定となるモードのＬＣＤセグメントについては点滅とする。
【００６２】
また、上記ステップＳ１３４のモードラッチ処理として、ＣＰＵ６０は、上記モードラッチ機能によりラッチ対象モード、即ち、NVP モードをラッチにセットし、シャッタレリーズ後もNVP モードを継続させる。また、このようにしてラッチ確定となったNVP モードのＬＣＤセグメント（NVP セグメントＡ５）を点滅させる。
【００６３】
以上のように、セレクトモードでない場合（通常モードの場合）において、スイッチ／ＳＭＥＮＵがオンされたときのＣＰＵ６０の一連の処理をＬＣＤパネル８４の表示態様を例にして説明する。図１２（Ａ）に示すように、スイッチ／ＳＭＥＮＵがオンされる前において、FLASH モードがラッチ対象モード以外のモード、即ち、NVP モード以外のモードに設定されていたとする。図では、FLASH モードのうちPRE モードが選択された状態でPRE セグメントＡ２のみが点灯している。尚、SELFモードについては、S-OFF モードに設定された状態でS-OFF セグメントＢ１のみが点灯し、FOCUS モードについては、AFモードに設定された状態でAFセグメントＣ１のみが点灯している。また、DATEモードについては、年月日プリントモードに設定された状態で英数字セグメントＤ１に現在の「年」、「月」、「日」がこの順序で表示されている。バッテリ表示セグメントＥ１にはバッテリ残量が十分にあることが表示され、数字セグメントＦ１には残り撮影枚数が３４枚であることが表示されている。
【００６４】
この場合に、スイッチ／ＳＭＥＮＵがオンされると、FLASH セレクトモードとなり、図１２（Ｂ）に示すように、セレクトモードとなったFLASH モードについて、PRE セグメントＡ２以外のすべてのセグメントＡ１、Ａ３、Ａ４、Ａ５が点灯する。一方、PRE モードが現在選択中であることを示すため、PRE セグメントＡ２が点滅する。尚、セレクトモードとなっていないSELFモード、FOCUS モード、及び、DATEモードについては、スイッチ／ＳＭＥＮＵがオンされる前と同じ表示である。
【００６５】
また、図１２（Ａ）において、スイッチ／ＳＭＥＮＵがオンされる前においては、緑色のＬＣＤＬＥＤ１が点灯又は消灯した状態で、橙色のＬＣＤＬＥＤ２が消灯した状態となっており、ＬＣＤパネル８４のバックライトは緑色に照明された状態、又は、消灯の状態である。これに対して、スイッチ／ＳＭＥＮＵがオンされた後、図１２（Ｂ）のセレクトモードに移行すると、緑色のＬＣＤＬＥＤ１が消灯した状態で、橙色のＬＣＤＬＥＤ２が点灯した状態に切り替わり、ＬＣＤパネル８４のバックライトが橙色で照明された状態となる。
【００６６】
一方、図１３（Ａ）に示すように、スイッチ／ＳＭＥＮＵがオンされる前において、FLASH モードがラッチ対象モード、即ち、NVP モードに設定された状態で、ＬＣＤパネル８４では、NVP セグメントＡ５が点灯していたとする。尚、FLASH モード以外で設定されているモードは上記図１２（Ａ）と同一で、ＬＣＤパネル８４で点灯しているＬＣＤセグメントも同一であるため説明を省略する。
【００６７】
この場合に、スイッチ／ＳＭＥＮＵがオンされると、FLASH セレクトモードとなり、図１３（Ｂ）に示すように、FLASH モードについて、NVP セグメントＡ５以外のすべてのＬＣＤセグメントＡ１、Ａ２、Ａ３、Ａ４が点灯する。一方、NVP モードが現在選択中であることを示すため、NVP セグメントＡ５が点滅する。セレクトモードとなっていないSELFモード、FOCUS モード、及び、DATEモードについては、スイッチ／ＳＭＥＮＵがオンされる前と同じ表示である。
【００６８】
続いて、図１３（Ａ）の通常モードから図１３（Ｂ）のFLASH セレクトモードへの切替えの原因となったスイッチ／ＳＭＥＮＵのオン状態が２秒以上継続したとすると、モードが確定すると共に、NVP モードがラッチされる。このとき、図１３（Ｃ）に示すようにNVP モードがラッチされたことを示すためNVP セグメントＡ５が点滅する。
【００６９】
尚、図１３（Ａ）の通常モードから図１３（Ｂ）のFLASH セレクトモードへの切替え時には、図１２で説明した場合と同様にＬＣＤパネル８４のバックライトが緑色に照明された状態、又は、消灯の状態から橙色に照明された状態に切り替わる。即ち、図１３（Ｂ）のときには、セレクトモードであることを示すため緑色のＬＣＤＬＥＤ１が消灯した状態で、橙色のＬＣＤＬＥＤ２が点灯した状態となる。これに対して、図１３（Ｂ）のFLASH セレクトモードから図１３（Ｃ）の通常モードに移行すると、即ち、モードが確定すると、緑色のＬＣＤＬＥＤ１が点灯した状態で、橙色のＬＣＤＬＥＤ２が消灯した状態に切り替わり、ＬＣＤパネル８４のバックライトが緑色で照明された状態となる。
【００７０】
次に、図１１の上記ステップＳ１０８においてＹＥＳ、即ち、セレクトモードと判定した場合について説明する。この場合、ＣＰＵ６０は、次に、現在選択されているセレクトモード（FLASH セレクトモード、SELFセレクトモード、FOCUS セレクトモード、又は、DATEセレクトモード）において選択可能なモードのうち、現在選択されているモードが上記ラッチ対象モードか否かを判定する（ステップＳ１３６）。即ち、上述のようにFLASH セレクトモードが選択されている場合においては、NVP モードが選択されているか否かを判定し、FOCUS セレクトモードが選択されている場合においては、INF モード又はMACRO モードが選択されているか否かを判定する。
【００７１】
ここでＹＥＳと判定した場合、ＣＰＵ６０は、２秒タイマーをスタートさせる（ステップＳ１３８）。そして、スイッチ／ＳＭＥＮＵがオンか否かを判定しながら（ステップＳ１４４）、その判定がＹＥＳの間、時計処理を行うと共に（ステップＳ１４２）、２秒タイマーがオーバータイムとなったか否かを判定する  （ステップＳ１４０）。もし、２秒タイマーがオーバータイムとなる前にスイッチ／ＳＭＥＮＵがオフとなった場合には、ステップＳ１４４においてＮＯと判定することになる。この場合、ＣＰＵ６０は、モード確定処理を実行し（ステップＳ１４６）、橙色のＬＣＤＬＥＤ２を消灯させると共に（ステップＳ１４８）、緑色のＬＣＤＬＥＤ１を点灯させる（ステップＳ１５０）。そして、Ｅ＿Ｔ＿ＬＣＤＬＥＤＯＦＦタイマーを再スタートさせて（ステップＳ１５２）、図９のメインルーチンの処理に戻る。尚、ステップＳ１４６のモード確定処理は、上記ステップＳ１２８と同様の処理である。また、このように２秒が経過する前にスイッチ／ＳＭＥＮＵがオフとなった場合には、ラッチ対象モードのモードラッチは行わない。
【００７２】
一方、２秒タイマーがオーバータイムとなった場合には、ステップＳ１４０においてＹＥＳと判定されることになる。この場合、ＣＰＵ６０は、モード確定処理を実行し（ステップＳ１５４）、橙色のＬＣＤＬＥＤ２を消灯させると共に  （ステップＳ１５６）、緑色のＬＣＤＬＥＤ１を点灯させる（ステップＳ１５８）。そして、モードラッチ処理を実行した後（ステップＳ１６０）、ステップＳ１９２に移行する。ステップＳ１９２以降においてスイッチ／ＳＭＥＮＵがオフになるのを待機する処理は、上述した通りである。ここで、ステップＳ１５４のモード確定処理は、上記ステップＳ１２８と同様の処理であり、ステップＳ１６０のモードラッチ処理は、ラッチするモードが異なる場合があることを除き上記ステップＳ１３４と同様の処理である。尚、上述とは逆に、スイッチ／ＳＭＥＮＵが継続してオンされた時間が２秒未満であれば、モードラッチを行い、２秒以上継続した場合にはモードラッチを解除するようにしてもよい。
【００７３】
以上のように、セレクトモードの場合に、現在選択されているモードがラッチ対象モードである場合において、スイッチ／ＳＭＥＮＵがオンされたときのＣＰＵ６０の一連の処理をＬＣＤパネル８４の表示態様を例にして説明する。スイッチ／ＳＭＥＮＵがオンされる前において、FOCUS セレクトモードに設定された状態で、ラッチ対象モードであるINF モードが選択されていたとする。このとき、図１４（Ａ）に示すようにFOCUS モードについて、ＬＣＤパネル８４のINF セグメントＣ２が点滅し、その他のＬＣＤセグメント（AFセグメントＣ１、MACRO セグメントＣ３）が点灯している。尚、FLASH モードについては、F-OFF モードが選択された状態でF-OFF セグメントＡ４のみが点灯し、SELFモードについては、S-OFF モードが選択された状態でS-OFF セグメントＢ１のみが点灯している。DATEモードについては、年月日プリントモードが選択された状態で英数字セグメントＤ１に現在の「年」、「月」、「日」がこの順序で表示されている。その他の表示については説明を省略する。
【００７４】
この場合に、スイッチ／ＳＭＥＮＵが２秒未満でオンされると、セレクトモードが終了し、セレクトモードで選択されたモードが確定する。そして、図１４（Ｂ）に示すように、確定したモードのＬＣＤセグメントのみが点灯する。このとき、スイッチ／ＳＭＥＮＵのオン状態が２秒以上継続しなければ、ラッチ対象モードはラッチされず、そのＬＣＤセグメントの表示も他のモードと同様に点灯となる。図１４（Ｂ）では、ラッチ対象モードであるINF モードはラッチされず、INF セグメントＣ２は点灯となる。
【００７５】
また、図１４（Ａ）のスイッチ／ＳＭＥＮＵがオンされる前においては、セレクトモードであることを示すため、緑色のＬＣＤＬＥＤ１が消灯した状態で、橙色のＬＣＤＬＥＤ２が点灯した状態となっており、ＬＣＤパネル８４のバックライトは橙色に照明された状態である。ただし、セレクトモードにおいてスイッチ無操作がＥ Ｔ ＬＣＤＬＥＤＯＦＦ時間（１０秒）以上継続していた場合には、ＬＣＤパネル８４のバックライトは消灯している。
【００７６】
これに対して、スイッチ／ＳＭＥＮＵが２秒未満でオンされてモードが確定され、図１４（Ｂ）の通常モードに移行すると、緑色のＬＣＤＬＥＤ１が点灯した状態で、橙色のＬＣＤＬＥＤ２が消灯した状態に切り替わり、ＬＣＤパネル８４のバックライトが緑色で照明された状態となる。
【００７７】
一方、図１４（Ａ）において、スイッチ／ＳＭＥＮＵのオン状態が２秒以上継続したとすると、モードが確定すると共に、選択されていたラッチ対象モードがラッチされる。そして、そのラッチ対象モードのＬＣＤセグメントが点滅した状態となる。図１４（Ａ）において、選択されていたラッチ対象モードは、FOCUS モードのうちのINF モードであるため、INF モードがラッチされ、図１４（Ｃ）に示すように、INF セグメントＣ２が点滅の状態となる。
【００７８】
次に、図１１の上記ステップＳ１３６においてＮＯ、即ち、セレクトモードで現在選択されているモードがラッチ対象モードでないと判定した場合について説明する。この場合、ＣＰＵ６０は、次に、現在選択されているセレクトモードがDATEセレクトモードか否かを判定する（ステップＳ１６２）。
【００７９】
ここでＹＥＳと判定した場合、ＣＰＵ６０は、２秒タイマーをスタートさせる（ステップＳ１６４）。そして、スイッチ／ＳＭＥＮＵがオンか否かを判定しながら（ステップＳ１７０）、その判定がＹＥＳの間、時計処理を行うと共に（ステップＳ１６８）、２秒タイマーがオーバータイムとなったか否かを判定する  （ステップＳ１６６）。もし、２秒タイマーがオーバータイムとなる前にスイッチ／ＳＭＥＮＵがオフとなった場合には、ステップＳ１７０においてＮＯと判定することになる。この場合、ＣＰＵ６０は、モード確定処理を実行し（ステップＳ１７２）、橙色のＬＣＤＬＥＤ２を消灯させると共に（ステップＳ１７４）、緑色のＬＣＤＬＥＤ１を点灯させる（ステップＳ１７６）。そして、Ｅ＿Ｔ＿ＬＣＤＬＥＤＯＦＦタイマーを再スタートさせて（ステップＳ１７８）、図９のメインルーチンの処理に戻る。尚、ステップＳ１７２のモード確定処理は、上記ステップＳ１２８等と同様の処理である。
【００８０】
一方、２秒タイマーがオーバータイムとなった場合には、ステップＳ１６６においてＹＥＳと判定されることになる。この場合、ＣＰＵ６０は、モード確定処理を実行し（ステップＳ１８０）、橙色のＬＣＤＬＥＤ２を点灯させる（ステップＳ１８２）。そして、DATE修正モードに移行しDATE修正モード処理を実行する（ステップＳ１８４）。ここで、ステップＳ１８０のモード確定処理は、上記ステップＳ１２８等と同様の処理である。一方、ステップＳ１８４のDATE修正モード処理は、日時設定を行うための処理である。これらの処理が終了すると、ステップＳ１９２に移行する。ステップＳ１９２以降においてスイッチ／ＳＭＥＮＵがオフになるのを待機する処理は、上述した通りである。
【００８１】
以上、DATEセレクトモードの場合において、スイッチ／ＳＭＥＮＵがオンされたときのＣＰＵ６０の一連の処理をＬＣＤパネル８４の表示態様を例に説明する。図１５（Ａ）に示すように、スイッチ／ＳＭＥＮＵがオンされる前において、DATEセレクトモードに設定されているとする。このとき、図１５（Ａ）に示すようにＬＣＤパネル８４の英数字セグメントＤ１が点滅している。尚、図では、DATEモードについては、年月日プリントモードが選択されている状態で英数字セグメントＤ１に現在の「年」、「月」、「日」がこの順序で点滅表示されている。
また、FLASH モードについては、PRE モードが選択された状態でPRE セグメントＡ２のみが点灯し、SELFモードについては、S-OFF モードが選択された状態でS-OFF セグメントＢ１のみが点灯し、FOCUS モードについては、AFモードが選択された状態でAFセグメントＣ１のみが点灯している。
【００８２】
この場合に、スイッチ／ＳＭＥＮＵが２秒未満でオンされると、DATEセレクトモードが終了すると共に、セレクトモードが終了し、選択されていたモードが確定する。そして、図１５（Ａ）では、DATEモードについて、年月日プリントモードが選択されていたため、図１５（Ｂ）に示すように、英数字セグメントＤ１に現在の「年」、「月」、「日」がこの順序で点灯表示される。
【００８３】
尚、図１５（Ａ）のスイッチ／ＳＭＥＮＵがオンされる前においては、セレクトモードであることを示すため、緑色のＬＣＤＬＥＤ１が消灯した状態で、橙色のＬＣＤＬＥＤ２が点灯した状態であるが、スイッチ／ＳＭＥＮＵが２秒未満でオンされてモードが確定し、図１５（Ｂ）の通常モードに移行すると、緑色のＬＣＤＬＥＤ１が点灯した状態で、橙色のＬＣＤＬＥＤ２が消灯した状態に切り替わり、ＬＣＤパネル８４のバックライトが緑色で照明された状態となる。
【００８４】
一方、図１５（Ａ）において、スイッチ／ＳＭＥＮＵのオン状態が２秒以上継続したとすると、DATE修正モードに移行する。そして、図１５（Ｃ）に示すように英数字セグメントＤ１に「日」、「時」、「分」が順に表示されると共に、  「日」の表示が点滅する。これによって、点滅している「日」の修正が可能となる（「日」が修正桁となる）。このとき、後述のようにスイッチ／ＳＵＰやスイッチ／ＳＤＯＷＮを操作することによってその設定値を１ずつ増加、減少させることができる。また、後述のようにスイッチ／ＳＲＩＧＨＴやスイッチ／ＳＬＥＦＴを操作することによって修正可能な修正桁を「日」⇔「時」⇔「分」⇔「年」⇔「月」⇔「日」で順次切り替えることができ、修正桁が点滅表示される。尚、DATE修正モードでは、セレクトモードと同様に、緑色のＬＣＤＬＥＤ１が消灯した状態で、橙色のＬＣＤＬＥＤ２が点灯した状態であり、ＬＣＤパネル８４のバックライトが橙色に照明された状態となる。
【００８５】
このDATE修正モードへの移行に関連して、図１１の上記ステップＳ１０２におけるDATE確定処理、即ち、DATE修正モードにおいてスイッチ／ＳＭＥＮＵがオンされた場合のＣＰＵ６０の処理についてＬＣＤパネル８４の表示態様を例に説明する。スイッチ／ＳＭＥＮＵがオンされる前においてDATE修正モードに設定されているとすると、図１６（Ａ）に示すように上述のように英数字セグメントＤ１の修正可能な修正桁が点滅表示されている。図では、英数字セグメントＤ１に  「日」、「時」、「分」が順に表示され、「分」の表示が点滅して「分」の値が修正可能な状態になっている。
【００８６】
この場合に、スイッチ／ＳＭＥＮＵがオンされると、修正済みの日付（年月日時分）が確定し、通常モードに移行する。そして、図１６（Ｂ）に示すようにＬＣＤパネル８４の英数字セグメントＤ１に、DATE修正モードに移行する前に確定したモードに対応した英数字が点灯表示される。図では、年月日プリントモードに設定されていた場合を示しており、そのモードに対応して英数字セグメントＤ１に修正した現在の「年」、「月」、「日」がその順序で点灯表示されている。
【００８７】
また、図１６（Ａ）のDATE修正モードでは、上述のように緑色のＬＣＤＬＥＤ１が消灯した状態で、橙色のＬＣＤＬＥＤ２が点灯した状態となっており、ＬＣＤパネル８４のバックライトは橙色に照明された状態である。これに対して、図１６（Ｂ）の通常モードに以降すると、緑色のＬＣＤＬＥＤ１が点灯した状態で、ＬＣＤＬＥＤ２が消灯した状態に切り替わり、ＬＣＤパネル８４のバックライトが緑色に照明された状態となる。
【００８８】
次に、図１１の上記ステップＳ１６２においてＮＯ、即ち、DATEセレクトモードでないと判定した場合について説明する。この場合、ＣＰＵ６０は、セレクトモードにおいて選択されたモードを確定するモード確定処理を実行し（ステップＳ１８６）、通常モードに移行すると共に、橙色のＬＣＤＬＥＤ２を消灯させると共に（ステップＳ１８８）、緑色のＬＣＤＬＥＤ１を点灯させる（ステップＳ１９０）。そして、ステップＳ１９２に移行し、上述のようにスイッチ／ＳＭＥＮＵがオフとなるのを待って、Ｅ＿Ｔ＿ＬＣＤＬＥＤＯＦＦタイマーを再スタートさせ（ステップＳ２００）、図９のメインルーチンに戻る。ここで、ステップＳ１８６のモード確定処理は、上記ステップＳ１２８等と同様の処理である。
【００８９】
ここで、モード確定処理について、ＬＣＤパネル８４の表示態様を例に説明する。スイッチ／ＳＭＥＮＵがオンされる前において、SELFセレクトモードに設定された状態で、SELFモードについて、SELF２モードが選択されていたとする。このとき、図１７（Ａ）に示すようにSELFモードについてＬＣＤパネル８４のSELFセグメントＢ２が点滅し、その他のSELFモードのＬＣＤセグメント（S-OFF セグメントＢ１、REMOCON セグメントＢ３）が点灯している。また、図では、FLASH モードについては、PRE モードが選択された状態でPRE セグメントＡ２が点灯し、FOCUS モードについては、AFモードが選択された状態でAFセグメントＣ１が点灯している。DATEモードについては、年月日プリントモードが選択された状態で英数字セグメントＤ１に現在の「年」、「月」、「日」がこの順序で表示されている。その他の表示については説明を省略する。
【００９０】
この場合に、スイッチ／ＳＭＥＮＵがオンされると、セレクトモードが終了し、セレクトモードで選択されたモードが確定する。そして、通常モードに移行し、図１７（Ｂ）に示すように、確定したモードのＬＣＤセグメントのみが点灯する。
【００９１】
また、図１７（Ａ）のスイッチ／ＳＭＥＮＵがオンされる前においては、セレクトモードであることを示すため、緑色のＬＣＤＬＥＤ１が消灯した状態で、橙色のＬＣＤＬＥＤ２が点灯した状態となっており、ＬＣＤパネル８４のバックライトは橙色に照明された状態である。ただし、セレクトモードにおいてスイッチ無操作がＥ＿Ｔ＿ＬＣＤＬＥＤＯＦＦ（１０秒）以上継続していた場合には、ＬＣＤパネル８４のバックライトは消灯している。
【００９２】
これに対して、スイッチ／ＳＭＥＮＵがオンされてモードが確定され、図１７（Ｂ）の通常モードに移行すると、緑色のＬＣＤＬＥＤ１が点灯した状態で、橙色のＬＣＤＬＥＤ２が消灯した状態に切り替わり、ＬＣＤパネル８４のバックライトが緑色で照明された状態となる。
【００９３】
図１８は、上記図９のメインルーチンにおけるステップＳ８２の／ＳＵＰスイッチ処理の処理手順を示したフローチャートである。この処理において、ＣＰＵ６０は、まず、上述したDATE修正モードか否かを判定する（ステップＳ３００）。ＹＥＳと判定した場合には、橙色のＬＣＤＬＥＤ２を点灯させ（ステップＳ３０２）、DATE修正処理を実行する（ステップＳ３０４）。そして、この処理が終了すると、ＣＰＵ６０は、スイッチ／ＳＵＰがオンか否かを判定しながら（ステップＳ３２２）、ＹＥＳと判定している間、上記図１０で説明した時計処理を実行し（ステップＳ３２０）、スイッチ／ＳＵＰがオフとなるのを待機する。そして、スイッチ／ＳＵＰがオフになると、この／ＳＵＰスイッチ処理に移行するためのスイッチ／ＳＵＰの操作があったことからスイッチ無操作の時間を計測するＥ＿Ｔ＿ＬＣＤＬＥＤＯＦＦタイマーを再スタートさせ（ステップＳ３２４）、図９のメインルーチンに戻る。
【００９４】
以上のように、DATE修正モードにおいてスイッチ／ＳＵＰがオンされた場合のＣＰＵ６０の一連の処理をＬＣＤパネル８４の表示態様を例に説明する。スイッチ／ＳＵＰがオンされる前において、DATE修正モードに設定された状態で、「日」の修正が選択されているとする。このとき、図１９（Ｃ）に示すようにＬＣＤパネル８４の英数字セグメントＤ１の「日」の表示が修正可能な修正桁として点滅する。図では、２５日に設定されている。
【００９５】
この場合に、スイッチ／ＳＵＰがオンされると、「日」の設定値が１増加し、図１９（Ｂ）に示すように２６日に修正される。図１９（Ｂ）のように「日」の設定値が２６日に設定されていたとすれば、図１９（Ａ）に示すように２７日に修正される。
【００９６】
他の例としてスイッチ／ＳＵＰがオンされる前において、DATE修正モードに設定された状態で、「分」の修正が選択されているとする。このとき、図２０（Ｃ）に示すようにＬＣＤパネル８４の英数字セグメントＤ１の「分」の表示が修正可能な修正桁として点滅する。図では、５９分に設定されている。
【００９７】
この場合に、スイッチ／ＳＵＰがオンされると、「分」の設定値が１増加し、図２０（Ｂ）に示すように００分に修正される。図２０（Ｂ）のように「分」の設定値が００分に設定されていたとすれば、図２０（Ａ）に示すように０１分に修正される。
【００９８】
次に、図１８の上記ステップＳ３００においてＮＯ、即ち、DATE修正モードでないと判定した場合について説明する。この場合、ＣＰＵ６０は、次に、セレクトモードか否かを判定する（ステップＳ３０６）。このとき、ＹＥＳ、即ち、セレクトモードと判定した場合には、橙色のＬＣＤＬＥＤ２を点灯させ（ステップＳ３０８）、ＬＣＤパネル８４のバックライトを橙色で照明する。
【００９９】
次に、ＣＰＵ６０は、FLASH セレクトモードか否かを判定する（ステップＳ３１０）。ここで、ＹＥＳと判定した場合、スイッチ／ＳＵＰがオンされると、通常はDATEセレクトモードに移行するが、ここでは、まず、パワーオンリセット後か否かを判定する（ステップＳ３１２）。もし、ＹＥＳと判定した場合には、初回DATE修正モード処理を実行した後（ステップＳ３１４）、ステップＳ３２０に移行する。
【０１００】
ここで、初回DATE修正モード処理は、パワーオンリセット後において、初めてDATEセレクトモードが選択されようとした場合に行われるDATE修正モードの処理であり、その内容は、基本的に、上述したDATE修正モード処理と同様である。初回DATE修正モード処理への移行についてＬＣＤパネル８４の表示態様を例に説明すると、パワーオンリセット後において、スイッチ／ＳＵＰがオンされる前に、FLASH セレクトモードに設定されていたものとする。このとき、図２１（Ｃ）に示すようにFLASH モードについて現在選択されているモードに対応するＬＣＤパネル８４のＬＣＤセグメントが点滅している。図では、PRE モードが選択された状態で、ＬＣＤパネル８４のPRE セグメントＡ２が点滅している。また、DATEモードについて、D-OFF モードが選択された状態で、英数字セグメントＤ１に「ＯＦＦ」の文字が表示されている。
【０１０１】
この場合に、スイッチ／ＳＵＰがオンされると、初回DATE修正モード処理に移行し、図２１（Ｂ）に示すように、ＬＣＤパネル８４のPRE セグメントＡ２が点滅から点灯に切り替わる。また、ＬＣＤパネル８４の英数字セグメントＤ１に、パワーオンリセット後において初期設定されている「年」、「月」、「日」の初期値がこの順序で表示されると共に、修正可能な初期の修正桁として「年」の初期値が点滅表示され、その他の「月」、「日」の初期値が点灯表示される。
【０１０２】
尚、図２１（Ｃ）のスイッチ／ＳＵＰがオンされる前においては、セレクトモードであることを示すため、上述のように緑色のＬＣＤＬＥＤ１が消灯した状態で、橙色のＬＣＤＬＥＤ２が点灯した状態であるが、スイッチ／ＳＵＰがオンされて図２１（Ｂ）の初回DATE修正モード処理に移行した際にも緑色のＬＣＤＬＥＤ１が消灯した状態で、橙色のＬＣＤＬＥＤ２が点灯した状態であり、ＬＣＤパネル８４のバックライトは橙色に照明されている。
【０１０３】
次に、図１８の上記ステップＳ３１０においてＮＯ、即ち、FLASH セレクトモードでないと判定した場合、又は、上記ステップＳ３１２においてＮＯ、即ち、初回DATE修正モード処理が既に行われている場合には、次にＣＰＵ６０は、セレクトモードをFLASH セレクトモード、SELFセレクトモード、FOCUS セレクトモード、又は、DATEセレクトモードに切り替えるセレクトモード切替処理を実行する（ステップＳ３１６）。そして、この処理が終了すると、ＣＰＵ６０は、ステップＳ３２０に移行し、上述したように時計処理を実行すると共に、スイッチ／ＳＵＰがオフとなるのを待って（ステップＳ３２２）、Ｅ＿Ｔ＿ＬＣＤＬＥＤＯＦＦタイマーを再スタートさせ（ステップＳ３２４）、図９のメインルーチンに戻る。尚、上記ステップＳ３１６のセレクトモード切替処理については、後述する。
【０１０４】
上記ステップＳ３０６においてＮＯ、即ち、セレクトモードでないと判定した場合、ＣＰＵ６０は、特別な処理を実行することなく、緑色のＬＣＤＬＥＤ１を点灯させて（ステップＳ３１８）、ステップＳ３２０に移行し、上述のようにスイッチ／ＳＵＰがオフとなるのを待って図９のメインルーチンに戻る。
【０１０５】
次に、上記ステップＳ３１６におけるセレクトモード切替処理について、ＬＣＤパネル８４の表示態様を例に説明する。セレクトモード切替処理は、FLASH セレクトモード、SELFセレクトモード、FOCUS セレクトモード、又は、DATEセレクトモードのいずれかのセレクトモードに設定されている場合において、スイッチ／ＳＵＰがオンされたときに行われる処理である。スイッチ／ＳＵＰをオンするごとに、セレクトモードがFLASH セレクトモード→DATEセレクトモード→FOCUS セレクトモード→SELFセレクトモード→FLASH セレクトモードのようにサイクリックに切り替わる。
【０１０６】
スイッチ／ＳＵＰがオンされる前において、例えば、FLASH セレクトモードに設定されていたものとする。図２２（Ｅ）は、このときのＬＣＤパネル８４の表示例を示している。尚、FLASH セレクトモードに設定されている場合、FLASH モードについて選択可能なモードのＬＣＤセグメントが全て表示されるが、同図においては、F-OFF モードのF-OFF セグメントＡ４のみが点滅している。これは、FOCUS モードについて選択されているモードがINF モードであるため、強制的にFLASH モードについてF-OFF モード以外のモードの選択が禁止されているためである。もし、FOCUS モードについて選択されているモードがAFモードであれば、FLASH モードについて全てのモードが選択可能であり、MACRO モードであれば、AUTOモード、ONモード、F-OFF モードが選択可能である。このようにFLASH セレクトモードに設定されている場合に、スイッチ／ＳＵＰがオンされると、図２２（Ｄ）に示すようにDATEセレクトモードに移行し、DATEモードを表示する英数字セグメントＤ１の表示が点滅表示となる。
【０１０７】
同様に、図２２（Ｄ）に示したようにDATEセレクトモードに設定されていた場合に、スイッチ／ＳＵＰがオンされると、図２２（Ｃ）に示すように、FOCUS セレクトモードに移行し、FOCUS モードについて選択可能なモードのＬＣＤセグメントが表示される。図では、FOCUS モードであるAFモード、INF モード、MACRO モードのうち、現在選択されているINF モードのINF セグメントＣ２が点滅し、その他のAFモードのAFセグメントＣ１、及び、MACRO セグメントＣ３が点灯している。
【０１０８】
また、図２２（Ｃ）に示したようにFOCUS セレクトモードに設定されていた場合に、スイッチ／ＳＵＰがオンされると、図２２（Ｂ）に示すように、SELFセレクトモードに移行し、SELFモードについての選択可能なモードのＬＣＤセグメントが表示される。図では、SELFモードのうちS-OFF モードが選択されており、S-OFF セグメントＢ１が点滅しているその他のSELFセグメントＢ２、REMOCON セグメントＢ３は点灯している。尚、SELFセグメントＢ２においては、SELF1 モードの表示が行われている。
【０１０９】
また、図２２（Ｂ）に示したようにSELFセレクトモードに設定されていた場合に、スイッチ／ＳＵＰがオンされると、図２２（Ａ）に示すようにFLASH セレクトモードに移行する。即ち、図２２（Ｅ）で示したセレクトモードに戻る。
【０１１０】
図２３は、上記図９のメインルーチンにおけるステップＳ８４の／ＳＤＯＷＮスイッチ処理の処理手順を示したフローチャートである。尚、処理内容としては、上述した図１８の／ＳＵＰスイッチ処理と略同じである。この処理において、ＣＰＵ６０は、まず、上述したDATE修正モードか否かを判定する（ステップＳ３５０）。ＹＥＳと判定した場合には、橙色のＬＣＤＬＥＤ２を点灯させ（ステップＳ３５２）、DATE修正処理を実行する（ステップＳ３５４）。そして、この処理が終了すると、ＣＰＵ６０は、スイッチ／ＳＤＯＷＮがオンか否かを判定しながら（ステップＳ３７２）、ＹＥＳと判定している間、上記図１０で説明した時計処理を実行し（ステップＳ３７０）、スイッチ／ＳＤＯＷＮがオフとなるのを待機する。そして、スイッチ／ＳＤＯＷＮがオフになると、この／ＳＤＯＷＮスイッチ処理に移行するためのスイッチ／ＳＤＯＷＮの操作があったことからスイッチ無操作の時間を計測するＥ＿Ｔ＿ＬＣＤＬＥＤＯＦＦタイマーを再スタートさせ（ステップＳ３７４）、図９のメインルーチンに戻る。
【０１１１】
以上のように、DATE修正モードにおいてスイッチ／ＳＤＯＷＮがオンされた場合のＣＰＵ６０の一連の処理をＬＣＤパネル８４の表示態様を例に説明する。スイッチ／ＳＤＯＷＮがオンされる前において、DATE修正モードに設定された状態で、「日」の修正が選択されているとする。このとき、図１９（Ａ）に示したようにＬＣＤパネル８４の英数字セグメントＤ１の「日」の表示が修正可能な修正桁として点滅する。図では、２７日に設定されている。
【０１１２】
この場合に、スイッチ／ＳＤＯＷＮがオンされると、「日」の設定値が１減少し、図１９（Ｂ）に示すように２６日に修正される。図１９（Ｂ）のように「日」の設定値が２６日に設定されていたとすれば、図１９（Ｃ）に示したように２５日に修正される。
【０１１３】
他の例としてスイッチ／ＳＤＯＷＮがオンされる前において、DATE修正モードに設定された状態で、「分」の修正が選択されているとする。このとき、図２０（Ａ）に示したようにＬＣＤパネル８４の英数字セグメントＤ１の「分」の表示が修正可能な修正桁として点滅する。図では、０１分に設定されている。
【０１１４】
この場合に、スイッチ／ＳＤＯＷＮがオンされると、「分」の設定値が１減少し、図２０（Ｂ）に示すように００分に修正される。図２０（Ｂ）のように「分」の設定値が００分に設定されていたとすれば、図２０（Ｃ）に示すように５９分に修正される。
【０１１５】
次に、図２３の上記ステップＳ３５０においてＮＯ、即ち、DATE修正モードでないと判定した場合について説明する。この場合、ＣＰＵ６０は、次に、セレクトモードか否かを判定する（ステップＳ３５６）。このとき、ＹＥＳ、即ち、セレクトモードと判定した場合には、橙色のＬＣＤＬＥＤ２を点灯させ（ステップＳ３５８）、ＬＣＤパネル８４のバックライトを橙色で照明する。
【０１１６】
次に，ＣＰＵ６０は、FOCUS セレクトモードか否かを判定する（ステップＳ３６０）。ここで、ＹＥＳと判定した場合、スイッチ／ＳＤＯＷＮがオンされると、通常はDATEセレクトモードに移行するが、ここでは、まず、パワーオンリセット後か否かを判定する（ステップＳ３６２）。もし、ＹＥＳと判定した場合には、初回DATE修正モード処理を実行した後（ステップＳ３６４）、ステップＳ３７０に移行する。
【０１１７】
ここで、初回DATE修正モード処理は、上述のようにパワーオンリセット後において、初めてDATEセレクトモードが選択されようとした場合に行われるDATE修正モードの処理である。スイッチ／ＳＤＯＷＮがオンされた場合における初回DATE修正モード処理への移行についてＬＣＤパネル８４の表示態様を例に説明すると、パワーオンリセット後において、スイッチ／ＳＤＯＷＮがオンされる前に、FOCUS セレクトモードに設定されていたものとする。このとき、図２１（Ａ）に示したようにFOCUS モードについて現在選択されているモードに対応するＬＣＤパネル８４のＬＣＤセグメントが点滅している。図では、AFモードが選択された状態で、ＬＣＤパネル８４のAFセグメントＣ１が点滅している。また、DATEモードについては、D-OFF モードが選択された状態で、英数字セグメントＤ１に「ＯＦＦ」の文字が表示されている。
【０１１８】
この場合に、スイッチ／ＳＤＯＷＮがオンされると、初回DATE修正モード処理に移行し、図２１（Ｂ）に示したように、ＬＣＤパネル８４のAFセグメントＡ２が点滅から点灯に切り替わる。また、ＬＣＤパネル８４の英数字セグメントＤ１に、パワーオンリセット後において初期設定されている「年」、「月」、「日」の初期値がこの順序で表示されると共に、修正可能な初期の修正桁として「年」の初期値が点滅表示され、その他の「月」、「日」の初期値が点灯表示される。
【０１１９】
尚、図２１（Ａ）のスイッチ／ＳＤＯＷＮがオンされる前においては、セレクトモードであることを示すため、上述のように緑色のＬＣＤＬＥＤ１が消灯した状態で、橙色のＬＣＤＬＥＤ２が点灯した状態であるが、スイッチ／ＳＤＯＷＮがオンされて図２１（Ｂ）の初回DATE修正モード処理に移行した際にも緑色のＬＣＤＬＥＤ１が消灯した状態で、橙色のＬＣＤＬＥＤ２が点灯した状態であり、ＬＣＤパネル８４のバックライトは橙色に照明される。
【０１２０】
次に、図２３の上記ステップＳ３６０においてＮＯ、即ち、FOCUS セレクトモードでないと判定した場合、又は、上記ステップＳ３６２においてＮＯ、即ち、初回DATE修正モード処理が既に行われている場合には、次にＣＰＵ６０は、セレクトモードをFLASH セレクトモード、SELFセレクトモード、FOCUS セレクトモード、又は、DATEセレクトモードに切り替えるセレクトモード切替処理を実行する（ステップＳ３６６）。そして、この処理が終了すると、ＣＰＵ６０は、ステップＳ３７０に移行し、上述したように時計処理を実行すると共に、スイッチ／ＳＤＯＷＮがオフとなるのを待って（ステップＳ３７２）、Ｅ＿Ｔ＿ＬＣＤＬＥＤＯＦＦタイマーを再スタートさせ（ステップＳ３７４）、図９のメインルーチンに戻る。尚、上記ステップＳ３６６のセレクトモード切替処理については、後述する。
【０１２１】
上記ステップＳ３５６においてＮＯ、即ち、セレクトモードでないと判定した場合、ＣＰＵ６０は、特別な処理を実行することなく、緑色のＬＣＤＬＥＤ１を点灯させて（ステップＳ３６８）、ステップＳ３７０に移行し、上述のようにスイッチ／ＳＤＯＷＮがオフとなるのを待って図９のメインルーチンに戻る。
【０１２２】
次に、上記ステップＳ３６６におけるセレクトモード切替処理について、ＬＣＤパネル８４の表示態様を例に説明する。スイッチ／ＳＤＯＷＮがオンされた場合にも、スイッチ／ＳＵＰがオンされた場合と同様に、セレクトモードがFLASH セレクトモード→SELFセレクトモード→FOCUS セレクトモード→DATEセレクトモード→FLASH セレクトモードのようにサイクリックに切り替わる。
【０１２３】
スイッチ／ＳＤＯＷＮがオンされる前において、例えば、FLASH セレクトモードに設定されていたとし、このとき、図２２（Ａ）のようにＬＣＤパネル８４の各ＬＣＤセグメントが表示されていたものとする。このようにFLASH セレクトモードに設定されている場合に、スイッチ／ＳＤＯＷＮがオンされると、図２２  （Ｂ）に示したように、SELFセレクトモードに移行し、SELFモードについて選択可能なモードのＬＣＤセグメントが表示される。図では、SELFモードでS-OFF モードが現在選択されており、S-OFF セグメントＢ１が点滅している。その他のSELFセグメントＢ２、REMOCON セグメントＢ３は点灯している。尚、SELFセグメントＢ２においては、SELF1 モードの表示が行われている。
【０１２４】
同様に、図２２（Ｂ）に示したように、SELFセレクトモードに設定されていた場合に、スイッチ／ＳＤＯＷＮがオンされると、図２２（Ｃ）に示すように、FOCUS セレクトモードに移行し、FOCUS モードについて選択可能なモードのＬＣＤセグメントが表示される。図では、FOCUS モードであるAFモード、INF モード、MACRO モードのうち、現在選択されているINF モードのINF セグメントＣ２が点滅し、その他のAFモードのAFセグメントＣ１、及び、MACRO セグメントＣ３が点灯している。
【０１２５】
また、図２２（Ｃ）に示したように、FOCUS セレクトモードに設定されていた場合に、スイッチ／ＳＤＯＷＮがオンされると、図２２（Ｄ）に示すように、DATEセレクトモードに移行し、DATEモードを表示する英数字セグメントＤ１の表示が点滅表示となる。
【０１２６】
また、図２２（Ｄ）に示したように、DATEセレクトモードに設定されていた場合に、スイッチ／ＳＤＯＷＮがオンされると、図２２（Ｅ）に示すように、FLASH セレクトモードに移行する。即ち、図２２（Ａ）で示したセレクトモードに戻る。
【０１２７】
図２４は、上記図９のメインルーチンにおけるステップＳ８６の／ＳＲＩＧＨＴスイッチ処理、及び、ステップＳ８８の／ＳＬＥＦＴスイッチ処理の処理手順を併せて示したフローチャートである。尚、以下において、スイッチ／ＳＲＩＧＨＴがオンされた場合の／ＳＲＩＧＨＴスイッチ処理として説明するが、スイッチ／ＳＬＥＦＴがオンされた場合についても特に言及しない限りは同様の処理である。この処理において、ＣＰＵ６０は、まず、上述したDATE修正モードか否かを判定する（ステップＳ４００）。ＹＥＳと判定した場合には、橙色のＬＣＤＬＥＤ２を点灯させ（ステップＳ４０２）、DATE修正桁切替え処理を実行する（ステップＳ４０４）。そして、この処理が終了すると、ＣＰＵ６０は、スイッチ／ＳＲＩＧＨＴがオンか否かを判定しながら（ステップＳ４２８）、ＹＥＳと判定している間、上記図１０で説明した時計処理を実行し（ステップＳ４２６）、スイッチ／ＳＲＩＧＨＴがオフとなるのを待機する。そして、スイッチ／ＳＲＩＧＨＴがオフになると、この／ＳＲＩＧＨＴスイッチ処理に移行するためのスイッチ／ＳＲＩＧＨＴの操作があったことからスイッチ無操作の時間を計測するＥ＿Ｔ＿ＬＣＤＬＥＤＯＦＦタイマーを再スタートさせ（ステップＳ４３０）、図９のメインルーチンに戻る。
【０１２８】
以上のように、DATE修正モードにおいてスイッチ／ＳＲＩＧＨＴがオンされた場合のDATE修正桁切替え処理についてＬＣＤパネル８４の表示態様を例に説明する。スイッチ／ＳＲＩＧＨＴがオンされる前において、DATE修正モードに設定された状態で、「日」の修正が選択されているとする。即ち、修正桁が「日」に設定されていたとする。このとき、図２５（Ａ）に示すようにＬＣＤパネル８４の英数字セグメントＤ１の「日」の表示が修正可能な修正桁として点滅する。図では、２７日に設定されている。
【０１２９】
この場合に、スイッチ／ＳＲＩＧＨＴがオンされると、図２５（Ｂ）に示すように修正桁が「時」に切り替わり、英数字セグメントＤ１の「時」の表示が修正可能な項目として点滅する。図２５（Ｂ）のように修正桁が「時」に設定されていた場合にスイッチ／ＳＲＩＧＨＴがオンされると、図２５（Ｃ）に示すように修正桁が「分」に切り替わり、英数字セグメントＤ１の「分」の表示が修正可能な修正桁として点滅する。
【０１３０】
更に、図２５（Ｃ）のように修正桁が「分」に設定されていた場合にスイッチ／ＳＲＩＧＨＴがオンされると、図２５（Ｄ）に示すように英数字セグメントＤ１の表示が「年」、「月」、「日」の表示に切り替わると共に、修正桁が「年」に切り替わり、「年」の表示が修正可能な項目として点滅する。図２５（Ｄ）のように修正桁が「年」に設定されていた場合にスイッチ／ＳＲＩＧＨＴがオンされると、図２５（Ｅ）に示すように修正桁が「月」に切り替わり、英数字セグメントＤ１の「月」の表示が修正可能な修正桁として点滅する。図２５（Ｅ）のように修正桁が「月」に設定されていた場合にスイッチ／ＳＲＩＧＨＴがオンされると、図２５（Ｅ）に示すように英数字セグメントＤ１の表示が「日」、「時」、「分」の表示に切り替わると共に、修正桁が「日」に切り替わり、「日」の表示が修正可能な修正桁として点滅する。尚、図２５（Ｅ）の状態は図２５（Ａ）の状態であり、スイッチ／ＳＲＩＧＨＴがオンされるごとに上記修正桁の切替え処理が繰り返される。また、スイッチ／ＳＬＥＦＴをオンした場合には、スイッチ／ＳＲＩＧＨＴと全く逆に修正桁が切り替えられる。
【０１３１】
次に、図２４の上記ステップＳ４００においてＮＯ、即ち、DATE修正モードでないと判定した場合について説明する。この場合、ＣＰＵ６０は、次に、セレクトモードか否かを判定する（ステップＳ４０６）。このとき、ＹＥＳ、即ち、セレクトモードと判定した場合には、橙色のＬＣＤＬＥＤ２を点灯させ（ステップＳ４０８）、ＬＣＤパネル８４のバックライトを橙色で照明する。
【０１３２】
次に，ＣＰＵ６０は、FLASH セレクトモードか否かを判定する（ステップＳ４１０）。ここで、ＹＥＳと判定した場合には、FLASH セレクトモード選択処理を実行し（ステップＳ４１２）、上述したステップＳ４２６に移行する。
【０１３３】
一方、ステップＳ４１０でＮＯと判定した場合には、次に、SELFセレクトモードか否かを判定する（ステップＳ４１４）。ここで、ＹＥＳと判定した場合には、SELFセレクトモード選択処理を実行し（ステップＳ４１６）、ステップＳ４２６に移行する。一方、ステップＳ４１４でＮＯと判定した場合には、次に、FOCUS セレクトモードか否かを判定する（ステップＳ４１８）。ここで、ＹＥＳと判定した場合には、FOCUS セレクトモード選択処理を実行し（ステップＳ４２０）、ステップＳ４２６に移行する。一方、ステップＳ４２０でＮＯと判定した場合には、DATEセレクトモードであることから、DATEセレクトモード選択処理を実行し（ステップＳ４２２）、ステップＳ４２６に移行する。尚、上記FLASH セレクトモード選択処理（ステップＳ４１２）、SELFセレクトモード選択処理（ステップＳ４１６）、FOCUS セレクトモード選択処理（ステップＳ４２０）、DATEセレクトモード選択処理（ステップＳ４２２）の内容については後述する。
【０１３４】
上記ステップＳ４０６においてＮＯ、即ち、セレクトモードでないと判定した場合、ＣＰＵ６０は、特別な処理を実行することなく、緑色のＬＣＤＬＥＤ１を点灯させて（ステップＳ４２４）、ステップＳ４２６に移行し、上述のようにスイッチ／ＳＲＩＧＨＴがオフとなるのを待って図９のメインルーチンに戻る。
【０１３５】
次に、上記ステップＳ４１２におけるFLASH セレクトモード選択処理についてＬＣＤパネル８４の表示態様を例に説明する。FLASH セレクトモード選択処理は、FLASH セレクトモードにおいてFLASH モードについて選択するモードを切り替える処理である。スイッチ／ＳＲＩＧＨＴがオンされる前において、FLASH セレクトモードの状態で、PRE モードが選択されていたとする。このとき、図２６（Ａ）に示すようにFLASH モードについて、選択可能なモードのＬＣＤセグメントが点灯し、又は、現在選択されているモードのＬＣＤセグメントが点滅する。尚、図では、PRE モードが選択された状態でPRE セグメントＡ２が点滅しており、その他のＬＣＤセグメント（AUTOセグメントＡ１、ONセグメントＡ３、F-OFF セグメントＡ４、NVP セグメントＡ５）が点灯している。また、SELFモードについては、S-OFF モードが選択された状態で、S-OFF セグメントＢ１のみが点灯し、FOCUS モードについては、AFモードが選択された状態で、AFセグメントＣ１のみが点灯し、DATEモードについては、「年月日プリント」モードが選択された状態で、英数字セグメントＤ１に現在の「年」、「月」、「日」がこの順序で表示されている。
【０１３６】
この場合に、スイッチ／ＳＲＩＧＨＴがオンされると、FLASH モードについて、選択されるモードが１つ右にシフトし、ONモードとなる。このとき、ＬＣＤパネル８４では、図２６（Ｂ）に示すように点滅するＬＣＤセグメントがPRE セグメントＡ２からONセグメントＡ３に切り替わる。更に、スイッチ／ＳＲＩＧＨＴがオンされると、選択されるモードがF-OFF モードに切り替わり、図２６（Ｃ）に示すようにF-OFF セグメントＡ４が点滅する。更に、スイッチ／ＳＲＩＧＨＴがオンされると、選択されるモードがNVP モードに切り替わり、図２６（Ｄ）に示すようにNVP セグメントＡ５が点滅する。更に、スイッチ／ＳＲＩＧＨＴがオンされると、選択されるモードがAUTOモードに切り替わり、図２６（Ｅ）に示すようにAUTOセグメントＡ１が点滅する。更に、スイッチ／ＳＲＩＧＨＴがオンされると、選択されるモードがPRE モードに切り替わり、図２６（Ｆ）に示すようにPRE セグメントＡ２が点滅する。図２６（Ｆ）は図２６（Ａ）と同じ状態であり、スイッチ／ＳＲＩＧＨＴがオンされるごとに上記順序でサイクリックに選択されるモードが切り替わる。尚、スイッチ／ＳＲＩＧＨＴではなく、スイッチ／ＳＬＥＦＴがオンされた場合には上述とは逆の順序で選択されるモードが切り替わる。
【０１３７】
次に、図２４の上記ステップＳ４１６におけるSELFセレクトモード選択処理についてＬＣＤパネル８４の表示態様を例に図２７のフローチャートを用いて説明する。SELFセレクトモード選択処理は、SELFセレクトモードにおいてSELFモードについて選択するモードを切り替える処理であり、ＣＰＵ６０は、スイッチ／ＳＲＩＧＨＴがオンされると（ステップＳ５００）、まず、現在選択されているモードがS-OFF モードか否かを判定する（ステップＳ５０２）。このとき、ＹＥＳであれば、SELF1 モードにモードの選択を切り替える（ステップＳ５０４）。そして、図９のメインルーチンに戻る。この場合に対応したＬＣＤパネル８４の表示が図２８（Ａ）及び図２８（Ｂ）である。図２８（Ａ）のSELFモードについて、現在選択されているS-OFF モードのS-OFF セグメントＢ１が点滅し、その他のモードのＬＣＤセグメント（SELFセグメントＢ２、REMOCON セグメントＢ３）が点灯している。尚、SELFセグメントＢ２にはSELF1 モードの表示が行われている。この場合に、スイッチ／ＳＲＩＧＨＴがオンされると、SELF1 モードに選択が切り替わり、図２８（Ｂ）のようにSELFセグメントＢ２にSELF1 モードの表示がなされると共に、SELFセグメントＢ２が点滅する。
【０１３８】
上記ステップＳ５０２においてＮＯと判定した場合、ＣＰＵ６０は、次に現在選択されているモードがSELF1 モードか否かを判定する（ステップＳ５０６）。このとき、ＹＥＳであれば、SELF2 モードにモードの選択を切り替える（ステップＳ５０８）。そして、図９のメインルーチンに戻る。この場合に対応したＬＣＤパネル８４の表示が図２８（Ｂ）及び図２８（Ｃ）である。図２８（Ｂ）では、上述のようにSELF1 モードが選択された状態で、SELFセグメントＢ２にSELF1 モードの表示がなされると共に、SELFセグメントＢ２が点滅している。この場合に、スイッチ／ＳＲＩＧＨＴがオンされると、SELF2 モードに選択が切り替わり、図２８（Ｃ）のようにSELFセグメントＢ２にSELF2 モードの表示がなされると共に、SELFセグメントＢ２が点滅する。
【０１３９】
上記ステップＳ５０６においてＮＯと判定した場合には、ＣＰＵ６０は、次に現在選択されているモードが、SELF2 モードか否かを判定する（ステップＳ５1 ０）。このとき、ＹＥＳであれば、SELF3 モードにモードの選択を切り替える（ステップＳ５１２）。そして、図９のメインルーチンに戻る。この場合に対応したＬＣＤパネル８４の表示が図２８（Ｃ）及び図２８（Ｄ）である。図２８（Ｃ）では、上述のようにSELF2 モードが選択された状態で、SELFセグメントＢ２にSELF2 モードの表示がなされると共に、SELFセグメントＢ２が点滅している。この場合に、スイッチ／ＳＲＩＧＨＴがオンされると、SELF3 モードに選択が切り替わり、図２８（Ｄ）のようにSELFセグメントＢ２にSELF3 モードの表示がなされると共に、SELFセグメントＢ２が点滅する。
【０１４０】
上記ステップＳ５１０においてＮＯと判定した場合には、ＣＰＵ６０は、次に現在選択されているモードが、SELF3 モードか否かを判定する（ステップＳ５1 ４）。このとき、ＹＥＳであれば、REMOCON モードにモードの選択を切り替える（ステップＳ５１６）。そして、図９のメインルーチンに戻る。この場合に対応したＬＣＤパネル８４の表示が図２８（Ｄ）及び図２８（Ｅ）である。図２８（Ｄ）では、上述のようにSELF3 モードが選択された状態で、SELFセグメントＢ２にSELF3 モードの表示がなされると共に、SELFセグメントＢ２が点滅している。この場合に、スイッチ／ＳＲＩＧＨＴがオンされると、REMOCON モードに選択が切り替わり、図２８（Ｅ）のようにREMOCON セグメントＢ３が点滅する。
【０１４１】
上記ステップＳ５１４においてＮＯと判定した場合には、ＣＰＵ６０は、次に現在選択されているモードが、REMOCON モードか否かを判定する（ステップＳ５1 ８）。このとき、ＹＥＳであれば、S-OFF モードにモードの選択を切り替える（ステップＳ５２０）。そして、図９のメインルーチンに戻る。この場合に対応したＬＣＤパネル８４の表示が図２８（Ｅ）及び図２８（Ｆ）である。図２８（Ｅ）では、上述のようにREMOCON モードが選択された状態で、REMOCON セグメントＢ３が点滅している。この場合に、スイッチ／ＳＲＩＧＨＴがオンされると、S-OFF モードに選択が切り替わり、図２８（Ｆ）のようにS-OFF セグメントＢ１が点滅する、即ち、図２８（Ａ）の状態に戻る。
【０１４２】
一方、ＣＰＵ６０は、スイッチ／ＳＬＥＦＴがオンされると（ステップＳ５３０）、まず、現在選択されているモードがS-OFF モードか否かを判定する（ステップＳ５３２）。このとき、ＹＥＳであれば、REMOCON モードにモードの選択を切り替える（ステップＳ５３４）。そして、図９のメインルーチンに戻る。この場合に対応したＬＣＤパネル８４の表示が図２８（Ｆ）及び図２８（Ｅ）である。図２８（Ｆ）では、上述のようにS-OFF セグメントＢ１が点滅している。この場合に、スイッチ／ＳＬＥＦＴがオンされると、REMOCON モードに選択が切り替わり、図２８（Ｅ）のようにREMOCON セグメントＢ３が点滅する。
【０１４３】
上記ステップＳ５３２においてＮＯと判定した場合、ＣＰＵ６０は、次に現在選択されているモードがSELF1 モードか否かを判定する（ステップＳ５３６）。このとき、ＹＥＳであれば、S-OFF モードにモードの選択を切り替える（ステップＳ５３８）。そして、図９のメインルーチンに戻る。この場合に対応したＬＣＤパネル８４の表示が図２８（Ｂ）及び図２８（Ａ）である。図２８（Ｂ）では、上述のようにSELF1 モードが選択された状態で、SELFセグメントＢ２にSELF1 モードの表示がなされると共に、SELFセグメントＢ２が点滅している。この場合に、スイッチ／ＳＬＥＦＴがオンされると、S-OFF モードに選択が切り替わり、図２８（Ａ）のようにS-OFF セグメントＢ１が点滅する。
【０１４４】
上記ステップＳ５３６においてＮＯと判定した場合には、ＣＰＵ６０は、次に現在選択されているモードが、SELF2 モードか否かを判定する（ステップＳ５４０）。このとき、ＹＥＳであれば、SELF1 モードにモードの選択を切り替える（ステップＳ５４２）。そして、図９のメインルーチンに戻る。この場合に対応したＬＣＤパネル８４の表示が図２８（Ｃ）及び図２８（Ｂ）である。図２８（Ｃ）では、上述のようにSELF2 モードが選択された状態で、SELFセグメントＢ２にSELF2 モードの表示がなされると共に、SELFセグメントＢ２が点滅している。この場合に、スイッチ／ＳＬＥＦＴがオンされると、SELF1 モードに選択が切り替わり、図２８（Ｂ）のようにSELFセグメントＢ２にSELF1 モードの表示がなされると共に、SELFセグメントＢ２が点滅する。
【０１４５】
上記ステップＳ５４０においてＮＯと判定した場合には、ＣＰＵ６０は、次に現在選択されているモードが、SELF3 モードか否かを判定する（ステップＳ５４４）。このとき、ＹＥＳであれば、SELF2 モードにモードの選択を切り替える（ステップＳ５４６）。そして、図９のメインルーチンに戻る。この場合に対応したＬＣＤパネル８４の表示が図２８（Ｄ）及び図２８（Ｃ）である。図２８  （Ｄ）では、上述のようにSELF3 モードが選択された状態で、SELFセグメントＢ２にSELF3 モードの表示がなされると共に、SELFセグメントＢ２が点滅している。この場合に、スイッチ／ＳＬＥＦＴがオンされると、SELF2 モードに選択が切り替わり、図２８（Ｃ）のようにSELFセグメントＢ２にSELF2 モードの表示がなされると共に、SELFセグメントＢ２が点滅する。
【０１４６】
上記ステップＳ５４４においてＮＯと判定した場合には、ＣＰＵ６０は、次に現在選択されているモードが、REMOCON モードか否かを判定する（ステップＳ５４８）。このとき、ＹＥＳであれば、SELF3 モードではなく、SELF1 モードにモードの選択を切り替える（ステップＳ５５０）。そして、図９のメインルーチンに戻る。この場合に対応したＬＣＤパネル８４の表示が図２８（Ｅ）及び図２８（Ｂ）である。図２８（Ｅ）では、上述のようにREMOCON モードが選択された状態で、REMOCON セグメントＢ３が点滅している。この場合に、スイッチ／ＳＬＥＦＴがオンされると、SELF1 モードに選択が切り替わり、図２８（Ｂ）のようにSELFセグメントＢ２にSELF1 モードの表示がなされると共に、SELFセグメントＢ２が点滅する。
【０１４７】
次に、上記ステップＳ４２０におけるFOCUS セレクトモード選択処理についてＬＣＤパネル８４の表示態様を例に説明する。FOCUS セレクトモード選択処理は、FOCUS セレクトモードにおいて、FOCUS モードについて選択するモードを切り替える処理である。スイッチ／ＳＲＩＧＨＴがオンされる前において、FOCUS セレクトモードの状態で、AFモードが選択されているものとする。このとき、図２９（Ａ）に示すようにFOCUS モードについて、選択可能なモードのＬＣＤセグメントが点灯し、又は、現在選択されているモードのＬＣＤセグメントが点滅する。尚、図では、AFモードが選択された状態でAFセグメントＣ１が点滅しており、その他のＬＣＤセグメント（INF セグメントＣ２、MACRO セグメントＡ３）が点灯している。また、FLASH モードについては、PRE モードが選択された状態で、PRE セグメントＡ２のみが点灯し、SELFモードについては、S-OFF モードが選択された状態で、S-OFF セグメントＢ１のみが点灯し、DATEモードについては、「年月日プリント」モードが選択された状態で、英数字セグメントＤ１に現在の「年」、「月」、「日」がこの順序で表示されている。
【０１４８】
この場合に、スイッチ／ＳＲＩＧＨＴがオンされると、FOCUS モードについて、選択されるモードが１つ右にシフトし、INF モードとなる。このとき、ＬＣＤパネル８４では、図２９（Ｂ）に示すように点滅するＬＣＤセグメントがAFセグメントＣ１からINF セグメントＣ２に切り替わる。また、INF モードでは、FLASH モードについてPRE モードの選択が禁止され、F-OFF モードのみが許容されるため、自動的にF-OFF モードに切り替わり、F-OFF セグメントＡ３が点灯する。尚、このようにFOCUS セレクトモードにおいて、FOCUS モードを自動的に切り替えた際には、その切替え前に選択されていたモードがモード確定まで記憶される。
【０１４９】
更に、スイッチ／ＳＲＩＧＨＴがオンされると、選択されるモードがMACRO モードに切り替わり、図２９（Ｃ）に示すようにMACRO セグメントＣ３が点滅する。尚、MACRO モードにおいても、FLASH モードについてPRE モードの選択が禁止され、AUTOモード、F-OFF モード、ONモードの選択が許容される。FLASH モードとの組み合わせで制限を受ける場合には、FLASH モードが自動的に好適なモードに変更される。図のようにAUTOモードに変更され、AUTOセグメントＡ１が点灯する。
【０１５０】
更に、スイッチ／ＳＲＩＧＨＴがオンされると、選択されるモードがAFモードに切り替わり、図２９（Ｄ）に示すようにAFセグメントＣ１が点滅する。尚、図２９（Ｄ）は図２９（Ａ）と同じ状態であり、スイッチ／ＳＲＩＧＨＴがオンされるごとに上記順序でサイクリックに選択されるモードが切り替わる。また、AFモードに切り替わると、FLASH モードについて元々選択されていたPRE モードが許容されるため、PRE モードに復帰し、PRE セグメントＡ２が点灯する。また、スイッチ／ＳＲＩＧＨＴではなく、スイッチ／ＳＬＥＦＴがオンされた場合には上述とは逆の順序で選択されるモードが切り替わる。
【０１５１】
次に、上記ステップＳ４２２におけるDATEセレクトモード選択処理についてＬＣＤパネル８４の表示態様を例に説明する。DATEセレクトモード選択処理は、DATEセレクトモードにおいてDATEモードについて選択するモードを切り替える処理である。スイッチ／ＳＲＩＧＨＴがオンされる前において、DATEセレクトモードの状態で、「年月日プリント」モードが選択されているものとする。このとき、図３０（Ａ）に示すように英数字セグメントＤ１に現在の「年」、「月」、「日」がこの順序で点滅表示されている。尚、図では、FLASH モードについて、PRE モードが選択された状態で、PRE セグメントＡ２のみが点灯し、SELFモードについては、S-OFF モードが選択された状態で、S-OFF セグメントＢ１のみが点灯し、FOCUS モードについては、AFモードが選択された状態でAFセグメントＣ１のみが点灯している。
【０１５２】
この場合に、スイッチ／ＳＲＩＧＨＴがオンされると、DATEモードについて、選択されるモードが「月日年プリント」モードに切り替わる。このとき、ＬＣＤパネル８４では、図３０（Ｂ）に示すように英数字セグメントＤ１に現在の「月」、「日」、「年」がこの順序で点滅表示される。更に、スイッチ／ＳＲＩＧＨＴがオンされると、選択されるモードが「日月年プリント」モードに切り替わり、図３０（Ｃ）に示すように英数字セグメントＤ１に現在の「日」、「月」、  「年」がこの順序で点滅表示される。更に、スイッチ／ＳＲＩＧＨＴがオンされると、選択されるモードが「日時分プリント」モードに切り替わり、図３０（Ｄ）に示すように英数字セグメントＤ１に現在の「日」、「時」、「分」がこの順序で点滅表示される。更に、スイッチ／ＳＲＩＧＨＴがオンされると、選択されるモードがD-OFF モードに切り替わり、図３０（Ｅ）に示すように英数字セグメントＤ１に現在の「ＯＦＦ」の文字が表示される。更に、スイッチ／ＳＲＩＧＨＴがオンされると、選択されるモードが「年月日プリント」モードに切り替わり、図３０（Ｆ）に示すように英数字セグメントＤ１に現在の「年」、「月」、  「日」がこの順序で点滅表示される。尚、図３０（Ｆ）は、図３０（Ａ）と同じ状態を示し、スイッチ／ＳＲＩＧＨＴがオンされるごとに上記順序でモードがサイクリックに切り替わる。また、スイッチ／ＳＲＩＧＨＴではなく、スイッチ／ＳＬＥＦＴがオンされた場合には上述とは逆の順序で選択されるモードが切り替わる。
【０１５３】
以上のように、本実施の形態のカメラでは、撮影モード等を表示するＬＣＤパネル８４を緑色のＬＣＤＬＥＤ１又は橙色のＬＣＤＬＥＤ２により色を変えて照明することができるようになっている。上述の処理においては、モードを選択できるセレクトモードの状態では橙色のＬＣＤＬＥＤ２が点灯すると共に、緑色のＬＣＤＬＥＤ１が消灯し、ＬＣＤパネル８４が橙色のバックライトで照明される。
【０１５４】
一方、モードが確定した状態（通常モード）では、緑色のＬＣＤＬＥＤ１が点灯すると共に、橙色のＬＣＤＬＥＤ２が消灯し、ＬＣＤパネル８４が緑色のバックライトで照明される。このようにカメラの状態に応じてＬＣＤパネル８４の照明光の色をかえることによって、ユーザはカメラの状態を容易に知ることができる。
【０１５５】
また、上記実施の形態では、ＬＣＤパネル８４のバックライトの色を緑色と橙色の２色で切り替えるようにしたが、他の色のバックライトを用いてもよいし、２色に限らず、３色以上でバックライトの色を切り替えるようにし、カメラの状態をより詳細にＬＣＤパネル８４のバックライトの色で表示することもできる。更に、バックライトを点灯又は消灯させるだけでなく、点滅させてカメラの状態を表示することもできる。
【０１５６】
また、上記実施の形態では、ＬＣＤパネル８４のバックライトの色を、セレクトモードか否か等によって切り替えるようにしたが、他の条件で切り替えることもできる。例えば、撮影モードとして、カメラが自動的に撮影条件を決めるオートモードと、ユーザが任意に撮影条件を設定できるマニュアルモードとがある場合に、オートモードが選択された場合と、マニュアルモードが選択された場合とで、ＬＣＤパネル８４のバックライトの色を切り替えることもできる。
【０１５７】
また、カメラの状態を検出して正常状態か異常状態かをＣＰＵ６０が判断し、その状態に応じてＬＣＤパネル８４のバックライトの色を切り替えるようにしてもよい。特に異常時には、バックライトを点滅させるようにしてもよい。正常状態か異常状態かの識別は、カメラ動作が正常に行われたか否かで判断することができる。
【０１５８】
また、ＬＣＤパネル８４の照明は、上記実施の形態のようにＬＣＤパネル８４の背面側から照明する場合に限らず、前面側から照明する場合であってもよい。
【０１５９】
また、上述のグループの区分については、上記実施の形態では、ストロボ（露出）に関連するFLASH モード、レリーズ開始に関連するSELFモード、フォーカスに関連するFOCUS モード、日付に関連するDATEモードで区分しているが、これらのグループのうち、少なくとも２つ以上のグループに区分されていれば本発明の適用が可能である。
【０１６０】
また、モードの選択が可能となっているグループについては、現在選択されているモードはＬＣＤパネル８４に点滅表示され、選択されていないモードは点灯するが、逆の態様にしてもよい。
【０１６１】
【発明の効果】
以上説明したように本発明に係るカメラによれば、各グループごとに選択されたモードをＬＣＤパネルに同時に表示するようにしたため、これにより、どのような組み合わせのモードで撮影がなされるかを明確に表示することができ、またモードの選択に制限を受けている状態や他のグループで選択されたモードが自動変更されたことを表示できるようになる。
【図面の簡単な説明】
【図１】１３５フイルムが装填されるカメラの外観を示した正面図。
【図２】１３５フイルムが装填されるカメラの外観を示した平面図。
【図３】１３５フイルムが装填されるカメラの外観を示した背面図。
【図４】１３５フイルムが装填されるカメラの外観を示した左側面図。
【図５】１３５フイルムが装填されるカメラの外観を示した右側面図。
【図６】カメラの制御部の構成を示したブロック図。
【図７】ＬＣＤパネルにおいて各種図形、文字、数字を表示するセグメントの割付を示した図。
【図８】セレクトモードの説明に使用した説明図。
【図９】ＣＰＵのメインルーチンの処理を示したフローチャート。
【図１０】時計処理について示したフローチャート。
【図１１】／ＳＭＥＮＵスイッチ処理の処理手順を示したフローチャート。
【図１２】セレクトモードでない場合において、スイッチ／ＳＭＥＮＵがオンされたときのＬＣＤパネルの表示態様を示した図。
【図１３】セレクトモードでない場合であって、FLASH モードがラッチ対象モードの場合にスイッチ／ＳＭＥＮＵがオンされたときのＬＣＤパネルの表示態様を示した図。
【図１４】セレクトモードの場合であって、現在選択されているモードがラッチ対象モードの場合にスイッチ／ＳＭＥＮＵがオンされたときのＬＣＤパネル８４の表示態様を示した図。
【図１５】  DATEセレクトモードの場合において、スイッチ／ＳＭＥＮＵがオンされたときのＬＣＤパネルの表示態様を示した図。
【図１６】  DATE修正モードにおいてスイッチ／ＳＭＥＮＵがオンされた場合のＬＣＤパネルの表示態様を示した図。
【図１７】モード確定処理におけるＬＣＤパネルの表示態様を示した図。
【図１８】／ＳＵＰスイッチ処理の処理手順を示したフローチャート。
【図１９】  DATE修正モードにおいてスイッチ／ＳＵＰ、スイッチ／ＳＤＯＷＮがオンされた場合のＬＣＤパネルの表示態様を示した図。
【図２０】  DATE修正モードにおいてスイッチ／ＳＵＰ、スイッチ／ＳＤＯＷＮがオンされた場合のＬＣＤパネルの表示態様を示した図。
【図２１】初回DATE修正モード処理への移行についてＬＣＤパネルの表示態様を示した図。
【図２２】セレクトモード切替処理についてＬＣＤパネルの表示態様を示した図。
【図２３】／ＳＤＯＷＮスイッチ処理の処理手順を示したフローチャート。
【図２４】／ＳＲＩＧＨＴスイッチ処理、及び、／ＳＬＥＦＴスイッチ処理の処理手順を併せて示したフローチャート。
【図２５】  DATE修正モードにおいてスイッチ／ＳＲＩＧＨＴ，スイッチ／ＳＬＥＦＦがオンされた場合のDATE修正桁切替え処理についてＬＣＤパネルの表示態様を示した図。
【図２６】  FLASH セレクトモード選択処理についてＬＣＤパネルの表示態様を示した図。
【図２７】  SELFセレクトモード選択処理の処理手順を示したフローチャート。
【図２８】  SELFセレクトモード選択処理についてＬＣＤパネルの表示態様を示した図。
【図２９】  FOCUS セレクトモード選択処理についてＬＣＤパネルの表示態様を示した図。
【図３０】  DATEセレクトモード選択処理についてＬＣＤパネルの表示態様を示した図。
【符号の説明】
３２…メインスイッチ、３４…シャッタボタン、３８…ＬＣＤ表示窓、４０…選択ボタン、４２…メニュー／決定ボタン、６０…ＣＰＵ、８４…ＬＣＤパネル、８６…バックライト用ＬＥＤ（ＬＣＤＬＥＤ１）、８８…バックライト用ＬＥＤ（ＬＣＤＬＥＤ２）、／ＳＭ、／ＳＢ、／ＳＰ１、／ＳＰ２、／ＳＴＥＬＥ、／ＳＷＩＤＥ、／ＳＭＥＮＵ、／ＳＵＰ、／ＳＤＯＷＮ、／ＳＲＩＧＨＴ、／ＳＬＥＦＴ…スイッチ
【図１】
0004631211.tif 000002
【図２】
0004631211.tif 000003
【図３】
0004631211.tif 000004
【図４】
0004631211.tif 000005
【図５】
0004631211.tif 000006
【図６】
0004631211.tif 000007
【図７】
0004631211.tif 000008
【図８】
0004631211.tif 000009
【図９】
0004631211.tif 000010
【図１０】
0004631211.tif 000011
【図１１】
0004631211.tif 000012
【図１２】
0004631211.tif 000013
【図１３】
0004631211.tif 000014
【図１４】
0004631211.tif 000015
【図１５】
0004631211.tif 000016
【図１６】
0004631211.tif 000017
【図１７】
0004631211.tif 000018
【図１８】
0004631211.tif 000019
【図１９】
0004631211.tif 000020
【図２０】
0004631211.tif 000021
【図２１】
0004631211.tif 000022
【図２２】
0004631211.tif 000023
【図２３】
0004631211.tif 000024
【図２４】
0004631211.tif 000025
【図２５】
0004631211.tif 000026
【図２６】
0004631211.tif 000027
【図２７】
0004631211.tif 000028
【図２８】
0004631211.tif 000029
【図２９】
0004631211.tif 000030
【図３０】
0004631211.tif 000031